(57)【要約】      （修正有）【課題】メディア再生システムにおけるオーディオソース検索方法を提供する。【解決手段】検索方法は、多次元検索、クロスソース検索、又はその両方を含む。メディア再生システムにおけるコントローラのユーザインタフェース上で場所を選択することにより、検索が開始される。場所は、検索で使用される１つ又は複数のメタデータに対応する。結果は、ソートされて表示される。１つ又は複数のメタデータを使用して、結果をフィルタにかける及び／又はソートする。【選択図】図９
2018067325.tif 000002
【特許請求の範囲】
【請求項１】
コントローラのユーザインタフェースにエリアを表示するステップ、
ここで、当該エリアは、１つ又は複数の再生デバイスが再生中のオーディオトラックに関連する、アーティスト名、アルバム名、及びトラック名に関連付けられたものであり、１つ又は複数の再生デバイスは、コントローラを介して制御される、
ユーザインタフェースのエリア内の場所の選択を受け取るステップ、
場所の選択の受け取りに対応して、コントローラからアクセスができ検索可能な、少なくとも１つのオーディオソースをコントローラによって特定するステップ、
少なくとも１つのオーディオソースによりサポートされている少なくとも１つの検索分類フィールドに基づいて、アーティスト名、アルバム名、及びトラック名のいずれかについて、少なくとも１つのオーディオソースを検索するステップ、
コントローラにより、検索に基づいて、少なくとも１つのオーディオソースから情報を取り出すステップ、
ここで、当該情報は、アーティスト名に関連する情報、アルバム名に関連する情報、及びトラック名に関連する情報のうちのいずれか一つ又は複数を含む、
少なくとも１つの検索分類フィールドと少なくとも１つのオーディオソースとに基づいて情報をソートするステップ、及び
ソートされた情報をユーザインタフェースに表示するステップ、
を含む、方法。
【請求項２】
さらに、
少なくとも１つのオーディオソースによりサポートされている少なくとも１つの検索分類フィールドを決定するステップ、及び
少なくとも１つの検索分類フィールドに基づいて検索基準を変更するステップ、
を含む、請求項１に記載の方法。
【請求項３】
前記少なくとも１つのオーディオソースを検索するステップは、各々が異なる複数のオーディオソースを検索することを含む、請求項１に記載の方法。
【請求項４】
さらに、コントローラによるオーディオコンテンツへの無制限アクセスが可能なオーディオソースを複数のオーディオソースの中から特定するステップを含む、請求項３に記載の方法。
【請求項５】
さらに、コントローラによるオーディオコンテンツへの制限付きアクセスが可能なオーディオソースを複数のオーディオソースの中から特定するステップを含む、請求項３に記載の方法。
【請求項６】
前記情報をソートするステップは、ユーザインタフェースの別の領域で、アーティスト名、アルバム名、及びトラック名に関する情報を表示することを含む、請求項１に記載の方法。
【請求項７】
さらに、アーティスト名、アルバム名、又はトラック名の類似度に応じて、取り出した情報のソートに優先順位をつけるステップを含む、請求項１に記載の方法。
【請求項８】
さらに、ユーザインタフェース上で選択された場所を使用して優先順位を決定するステップを含む、請求項７に記載の方法。
【請求項９】
さらに、少なくとも１つのオーディオソースに応じて、取り出された情報のソートに優先順位をつけるステップを含む、請求項１に記載の方法。
【請求項１０】
前記少なくとも１つのオーディオソースは、１つ又は複数の再生デバイス上のオーディオトラックを再生するのに使用されたソースと異なる、請求項１に記載の方法。
【請求項１１】
少なくとも１つのオーディオソースは、複数の検索分類フィールドをサポートする、請求項１に記載の方法。
【請求項１２】
コンピュータにより実行可能な命令を記憶した非一時的なコンピュータ読み取り可能な記録媒体であって、当該命令は実行されるとコンピュータに機能を発揮させるものであり、
当該機能には、
コントローラのユーザインタフェースにエリアを表示するステップ、
ここで、当該エリアは、１つ又は複数の再生デバイスが再生中のオーディオトラックに関連する、アーティスト名、アルバム名、及びトラック名に関連付けられたものであり、１つ又は複数の再生デバイスは、コントローラを介して制御される、
ユーザインタフェースのエリア内の場所の選択を受け取るステップ、
場所の選択の受け取りに対応して、コントローラからアクセスができ検索可能な、少なくとも１つのオーディオソースをコントローラによって特定するステップ、
少なくとも１つのオーディオソースによりサポートされている少なくとも１つの検索分類フィールドに基づいて、アーティスト名、アルバム名、及びトラック名のいずれかについて、少なくとも１つのオーディオソースを検索するステップ、
コントローラにより、検索に基づいて、少なくとも１つのオーディオソースから情報を取り出すステップ、
ここで、当該情報は、アーティスト名に関連する情報、アルバム名に関連する情報、及びトラック名に関連する情報のうちのいずれか一つ又は複数を含む、
少なくとも１つの検索分類フィールドと少なくとも１つのオーディオソースとに基づいて情報をソートするステップ、及び
ソートされた情報をユーザインタフェースに表示するステップ、
が含まれる、非一時的なコンピュータ読み取り可能な記録媒体。
【請求項１３】
命令はコンピュータにより実行可能であって、当該命令が実行されてコンピュータに発揮させる機能には、さらに、
少なくとも１つのオーディオソースによりサポートされている少なくとも１つの検索分類フィールドを決定するステップ、及び
少なくとも１つの検索分類フィールドに基づいて検索基準を変更するステップ、
が含まれる、請求項１２に記載の非一時的なコンピュータ読み取り可能な記録媒体。
【請求項１４】
前記少なくとも１つのオーディオソースを検索するための命令は、コンピュータにより実行可能な命令を含み、当該命令が実行されてコンピュータに発揮させる機能には、さらに、各々が異なる複数のオーディオソースを検索することが含まれる、請求項１２に記載の非一時的なコンピュータ読み取り可能な記録媒体。
【請求項１５】
命令はコンピュータにより実行可能であって、当該命令が実行されてコンピュータに発揮させる機能には、さらに、コントローラによるオーディオコンテンツへの無制限アクセスが可能なオーディオソースを複数のオーディオソースの中から特定するステップが含まれる、請求項１４に記載の非一時的なコンピュータ読み取り可能な記録媒体。
【請求項１６】
命令はコンピュータにより実行可能であって、当該命令が実行されてコンピュータに発揮させる機能には、さらに、コントローラによるオーディオコンテンツへの制限付きアクセスが可能なオーディオソースを複数のオーディオソースの中から特定するステップが含まれる、請求項１４に記載の非一時的なコンピュータ読み取り可能な記録媒体。
【請求項１７】
前記少なくとも１つの検索分類フィールドと少なくとも１つのオーディオソースとに基づいて情報をソートするための命令は、コンピュータにより実行可能な命令を含み、当該命令が実行されてコンピュータに発揮させる機能には、さらに、ユーザインタフェースの別の領域で、アーティスト名、アルバム名、及びトラック名に関する情報を表示することが含まれる、請求項１２に記載の非一時的なコンピュータ読み取り可能な記録媒体。
【請求項１８】
命令はコンピュータにより実行可能であって、当該命令が実行されてコンピュータに発揮させる機能には、さらに、アーティスト名、アルバム名、又はトラック名の類似度に応じて、取り出した情報のソートに優先順位をつけるステップが含まれる、請求項１２に記載の非一時的なコンピュータ読み取り可能な記録媒体。
【請求項１９】
命令はコンピュータにより実行可能であって、当該命令が実行されてコンピュータに発揮させる機能には、さらに、ユーザインタフェース上で選択された場所を使用して優先順位を決定するステップが含まれる、請求項１８に記載の非一時的なコンピュータ読み取り可能な記録媒体。
【請求項２０】
コントローラデバイスを１つ又は複数のオーディオソースに通信接続するネットワークインタフェース、
ユーザインタフェース、
非一時的なコンピュータ読み取り可能な媒体、及び
前記非一時的なコンピュータ読み取り可能な媒体に格納されたプログラム命令、
を含み、
前記プログラム命令は、少なくとも１つのプロセッサによって実行可能であり、前記プログラム命令は前記コントローラデバイスに、
ユーザインタフェースにエリアを表示させること、
ここで、当該エリアは、１つ又は複数の再生デバイスが再生中のオーディオトラックに関連する、アーティスト名、アルバム名、及びトラック名に関連付けられたものであり、１つ又は複数の再生デバイスは、コントローラデバイスを介して制御される、
ユーザインタフェースのエリア内の場所の選択を受け取ること、
場所の選択の受け取りに対応して、コントローラからアクセスができ検索可能な、少なくとも１つのオーディオソースを特定すること、
少なくとも１つのオーディオソースによりサポートされている少なくとも１つの検索分類フィールドに基づいて、アーティスト名、アルバム名、及びトラック名のいずれかについて、少なくとも１つのオーディオソースを検索すること、
検索に基づいて、少なくとも１つのオーディオソースから情報を取り出すこと、
ここで、当該情報は、アーティスト名に関連する情報、アルバム名に関連する情報、及びトラック名に関連する情報のうちのいずれか一つ又は複数を含む、
少なくとも１つの検索分類フィールドと少なくとも１つのオーディオソースとに基づいて情報をソートすること、及び
ソートされた情報をユーザインタフェースに表示すること、
を行わせる、コントローラデバイス。
【発明の詳細な説明】
【関連出願の参照】
【０００１】
本願は、２０１３年９月３０日に出願された米国特許出願第１４／０４１，８９１号の優先権を主張するものである。
【技術分野】
【０００２】
本願は、コンシューマ製品に関するものであり、特に、メディア再生に向けられた方法、システム、製品、機能、サービス、及び他のアイテムに関するものや、それらのいくつかの態様に関する。
【背景技術】
【０００３】
消費者レベル技術の進歩によって、人々はパーソナルオーディオデバイスでデジタル音楽を聞くことができるようになり、人々はデジタル音楽を容易に聞くことできるようになった。デジタル音楽に関する消費者の多様化する嗜好によって、パーソナルオーディオデバイスは、ＰＤＡ、携帯電話、及び他のモバイルデバイスへ統合された。これらのモバイルデバイスを持ち運びすることによって、人々は家の外でそれらを使用して音楽を聞くことができるようになった。人々は、家に居ながら、コンピュータ又は同様のデバイスを使用して、デジタル音楽ファイル又はインターネットラジオのようなデジタル音楽を聞くことができるようになった。現在では、デジタルビデオ及び写真を含む他のデジタルコンテンツに加えて、デジタル音楽を聞く様々な方法が多く存在している。それらの方法は、家庭でのハイスピードインターネットアクセス、又はモバイルブロードバンドインターネットアクセス、及びデジタルメディアの消費者の要望などによって活性化されている。
【０００４】
近年まで、アウト・ラウド環境において、デジタルオーディオにアクセスして聞くオプションは、限られていた。２００５年にＳｏｎｏｓ社が最初に販売したデジタルオーディオシステムによって、人々は、ネットワーク接続された１つ又は複数のゾーンプレーヤーを通じて無制限のオーディオソースに視覚的にアクセスすること、命令で複数のゾーンプレーヤーを動的にグループ化又はグループ解除すること、ローカルネットワーク上のゾーンプレーヤー間でオーディオを無線送信すること、及びデジタルオーディオを複数のゾーンプレーヤー間で同期して大音量で再生することが可能となった。Ｓｏｎｏｓ社のシステムは、あるネットワークにアクセス可能なモバイルデバイス及びコンピュータで実行されるソフトウェアアプリケーションによって制御することができる。
【０００５】
デジタルメディアへの消費者の飽くなき欲求を考えると、人々がデジタルメディアにアクセスして聞く方法を改革する消費者向け技術の開発というニーズが継続して存在する。
【０００６】
本発明の技術の特徴、態様、及び利点は、以下の記載、添付の特許請求の範囲、及び添付の図面を参照するとより理解しやすい。
【図面の簡単な説明】
【０００７】
【図１】図１は、本発明のある実施形態の例示的な構成を示す。
【図２Ａ】図２Ａは、内蔵アンプと変換器とを備えるゾーンプレーヤーの例を示す。
【図２Ｂ】図２Ｂは、内蔵アンプを備え、外部スピーカーに接続されたゾーンプレーヤーの例を示す。
【図２Ｃ】図２Ｃは、Ａ／Ｖ受信機とスピーカーとに接続されたゾーンプレーヤーの例を示す。
【図３】図３は、コントローラの例を示す。
【図４】図４は、例示的なゾーンプレーヤー内部機能ブロック図を示す。
【図５】図５は、例示的なコントローラの内部機能ブロック図を示す。
【図６】図６は、ネットワークメディアシステムの例示的な再生待ち列の構成を示す。
【図７】図７は、例示的なアドホック再生ネットワークを示す。
【図８】図８は、クラウドベースネットワークと少なくとも一つのローカル再生ネットワークとを有する複数のネットワークを含むシステムを示す。
【図９】図９は、ある実施形態に基づき、検索のフロー図の一例を示す。
【図１０Ａ】図１０Ａは、図９に基づき、検索がどのように開始されるかを説明するのに役立つユーザインタフェースの例を示す。
【図１０Ｂ】図１０Ｂは、図９に基づき、検索がどのように開始されるかを説明するのに役立つユーザインタフェースの例を示す。
【図１１】図１１は、検索が開始されるための、他のユーザインタフェースの例を示す。
【図１２】図１２は、実行された一例の検索に基づいて、ユーザインタフェースに表示される、一例の検索結果を示す。
【図１３】図１３は、実行された別の例の検索に基づいて、ユーザインタフェースに表示される、別の例の検索結果を示す。
【図１４】図１４は、実行された別の例の検索に基づいて、ユーザインタフェースに表示される、別の例の検索結果を示す。
【図１５】図１５は、実行された別の例の検索に基づいて、ユーザインタフェースに表示される、別の例の検索結果を示す。
【図１６】図１６は、実行された別の例の検索に基づいて、ユーザインタフェースに表示される、別の例の検索結果を示す。
【図１７】図１７は、実行された別の例の検索に基づいて、ユーザインタフェースに表示される、別の例の検索結果を示す。
【発明を実施するための形態】
【０００８】
さらに、図面は、いくつかの例示的な実施形態を説明することを目的としているが、本発明が、図面に示した配置及び手段に限定されるものではないことは理解される。
【０００９】
Ｉ．概要
本明細書に開示された実施形態は、メディア再生システムのコントローラを使用した、オーディオ発見のための使い勝手の良いシステムを含む。実施形態は、特に、メディア再生システムを使用して歌を聴くときと、リスナーであるユーザが歌を見つけ出したいときに、有用である。例えば、ユーザインタフェース上で場所を選択することによって、検索が実行される。実施形態によっては、検索は１つ又は複数のオーディオソースを検索すること（例えば、クロスサービス検索）を含んでも良く、検索はメタデータの使用を含んでも良く、検索はメタデータの使用とクロスサービス検索の両方を含んでも良い。結果は、ソートされて、表示される。様々な実施形態について、種々の態様の検索に関連して、以下に詳細に説明する。
【００１０】
以下で述べられているような他の実施形態も可能であり、又、当業者によって理解できるような他の実施形態も可能である。
【００１１】
ＩＩ．動作環境の例
図面を参照すると、同様のパーツに対しては、複数の図面において、同様の符号を付している。図１は、本明細書で開示された１つ又は複数の実施形態が実行可能な、又は実施可能なメディアシステム構成１００の例を示している。
【００１２】
例示のために、メディアシステム構成１００は、複数のゾーンを有するホームに関連付けられているが、ホームは１つのゾーンのみで構成することができる。また、１つ又は複数のゾーンを後からメディアシステム構成１００に追加することもできる。各ゾーンは、例えば、オフィス、浴室、寝室、キッチン、ダイニングルーム、ファミリールーム、ホームシアタールーム、ユーティリティ又はランドリールーム、及びパティオなどの異なる部屋又はスペースに、ユーザによって割り当てられてもよい。そのように構成されている場合では、１つのゾーンが複数の部屋又はスペースを含んでもよい。図１を参照すると、各ゾーンに１つ又は複数のゾーンプレーヤー１０２−１２４が示されている。本明細書では、ゾーンプレーヤー１０２−１２４は、再生デバイス、マルチメディアユニット、スピーカー、プレーヤーなどと呼ばれ、オーディオ、ビデオ、及び／又はオーディオビジュアルの出力を行う。コントローラ１３０（例えば、図示の目的のためキッチン内に示されているコントローラ）は、メディアシステム構成１００の制御を行う。コントローラ１３０は、ゾーンに固定されていてもよいし、あるいは、コントローラ１３０は、ゾーンの周りを移動可能な移動体であってもよい。メディアシステム構成１００は、複数のコントローラ１３０を含んでもよく、後から追加のコントローラがシステムに追加されてもよい。
【００１３】
メディアシステム構成１００は、例示的なハウスオーディオシステム全体を表すが、本明細書に記載の技術は、これらの特定の場所への用途に限定されず、又、図１のハウスメディアシステム１００全体のような広範囲のシステムにも限定されない。
【００１４】
ａ．ゾーンプレーヤーの例
図２Ａ、図２Ｂ、図２Ｃは、様々な種類のゾーンプレーヤーの例を示している。例えば、図２Ａ、図２Ｂ、図２Ｃのゾーンプレーヤー２００、２０２、及び２０４は、それぞれ、図１のゾーンプレーヤー１０２−１２４のいずれにも対応できる。ある実施形態では、オーディオが、フルレンジプレーヤー等の単一のゾーンプレーヤーのみから再生されてもよい。ある実施形態では、オーディオは、２つ以上のゾーンプレーヤー、例えば、複数のフルレンジプレーヤーの組み合わせ、又はフルレンジプレーヤーとあるプレーヤーとの組み合わせ等によって再生されてもよい。ある実施形態では、ゾーンプレーヤー２００−２０４はまた、「スマートスピーカー」と呼ばれてもよい。この理由は、オーディオ再生を超えた処理能力を備えているからであり、以下に詳細に述べられている。
【００１５】
図２Ａは、フルレンジサウンドを再生可能なサウンド生成機器２０８を含むゾーンプレーヤー２００を示す。サウンドは、オーディオ信号から得られ、オーディオ信号は、有線データネットワーク上で、又は無線データネットワーク上でゾーンプレーヤー２００によって受信することができる。サウンド生成機器２０８は、１つ又は複数の内蔵アンプと、１つ又は複数の音響変換器（例えば、スピーカー）を含む。内蔵アンプは、図４に関連付けて、さらに以下で述べられている。スピーカー又は音響変換器は、例えば、ツイーター、ミッドレンジドライバ、低域ドライバ、及びサブウーファーのいずれかを含んでいてもよい。ある実施形態では、ゾーンプレーヤー２００は、ステレオオーディオ、モノラルオーディオ、又はその両方を再生するように静的に又は動的に構成することができる。ある実施形態では、ゾーンプレーヤー２００が他のゾーンプレーヤーとグループ化されてもよい。ステレオオーディオ、モノラルオーディオ、及び／又はサラウンドオーディオを再生するとき、又はゾーンプレーヤー２００によって受信したメディアコンテンツがフルレンジより低いとき、ゾーンプレーヤー２００は、フルレンジサウンドのサブセットを再生するように動的に構成することもできる。
【００１６】
図２Ｂは、分離したスピーカー２１０に電力を供給する内蔵アンプを含むゾーンプレーヤー２０２を示す。分離したスピーカーは、例えば、任意のタイプのラウドスピーカーを含むことができる。ゾーンプレーヤー２０２は、１つ、２つ、又はそれより多い数の別々のラウドスピーカーに電力を供給するように構成されてもよい。ゾーンプレーヤー２０２は、有線パスを通じてオーディオ信号（例えば、右又は左のチャンネルオーディオ又はその構成に応じた数のチャンネル）を分離したスピーカー２１０に対して通信するように構成されている。
【００１７】
図２Ｃは、内蔵アンプを含まないが、データネットワーク上で受信したオーディオ信号を、内蔵アンプを備えるオーディオ（又は「オーディオ／ビデオ」）受信器２１４に通信するゾーンプレーヤー２０４を示している。
【００１８】
図１に戻って、ある実施形態では、１つ、いくつか、又はすべてのゾーンプレーヤー１０２−１２４は、ソースから直接オーディオを取り出すことができる。例えば、ゾーン又はゾーングループにおいて、あるゾーンプレーヤーは、「再生待ち列」（又は「待ち列」）に割り当てられてもよい。再生待ち列は、関連付けられたゾーン又はゾーングループによって再生される０以上のオーディオアイテムに対応する情報を含んでいる。再生待ち列は、ゾーンプレーヤー又はある他の指定されたデバイスのメモリに記憶することができる。再生待ち列に含まれるそれぞれのアイテムは、ユー・アール・アイ（ＵＲＩ）又はいくつかの他の識別子を含んでいてもよい。ＵＲＩ又は識別子は、ゾーンプレーヤーによって使用可能であり、識別されたオーディオソースからオーディオアイテムを探し出したり、及び／又は読み出したりすることができる。アイテムに応じて、オーディオソースは、インターネット（例えば、クラウド）上で見つけられるかもしれないし、データネットワーク１２８上の別のデバイス（以下に更に述べられている）、ゾーンプレーヤー自体に格納されたコントローラ１３０からローカルに見つかる場合もあるし、又はゾーンプレーヤーと直接通信するオーディオソースから見つかる場合もある。ある実施形態では、ゾーンプレーヤーは、オーディオそのものを再生すること（例えば、オーディオを再生すること）、オーディオを再生するために別のデバイスに送信すること、又はゾーンプレーヤーと１つ又は複数の追加のゾーンプレーヤーとを（可能であれば同期して）オーディオを再生することもできる。ある実施形態では、再生するために別のゾーンプレーヤーに異なる第２オーディオコンテンツを送信している間、ゾーンプレーヤーは、第１オーディオコンテンツを再生することができる（あるいは全くコンテンツを再生しない）。ユーザに対して、再生待ち列の各アイテムは、コントローラのインタフェース上に、例えば、トラック名、アルバム名、ラジオ局名、プレイリスト、又はいくつかの他の表示等の要素で示される。ユーザは、興味のあるオーディオアイテムを再生待ち列に追加することができる。また、望むのであれば、ユーザは、再生待ち列を修正し、クリアにしてもよい。
【００１９】
例として、現在、カリフォルニア州サンタバーバラのソノズ・インコーポレイテッドは、「ＰＬＡＹ：５」、「ＰＬＡＹ：３」、「ＣＯＮＮＥＣＴ：ＡＭＰ」、「ＰＬＡＹＢＡＲ」、「ＣＯＮＮＥＣＴ」、及び「ＳＵＢ」と呼ばれるゾーンプレーヤーを販売提供している。他の過去、現在、及び／又は将来の任意のゾーンプレーヤーは、追加的に又は代替的に本明細書で開示された実施例のゾーンプレーヤーに実装して使用することができる。更に、ゾーンプレーヤーは、図２Ａ、図２Ｂ、及び図２Ｃに示された特定の例又は提供されるソノズ製品に限定されないことを理解する。例えば、ゾーンプレーヤーは、有線のヘッドホン又は無線のヘッドホンを含んでもよい。更に別の例では、ゾーンプレーヤーは、テレビ用のサウンドバーを含んでいてもよい。更に別の例では、ゾーンプレーヤーは、アップル社のｉＰｏｄ（商標）又は同様のデバイス用のドッキングステーションを含むことができるし、又、それらと対話することができる。
【００２０】
ｂ．コントローラの例
図３は、ドッキングステーション３０２内の無線コントローラ３００の例を示す。例として、コントローラ３００は、図１の制御デバイス１３０に対応可能である。ドッキングステーション３０２を備えているか、又は使用されている場合、ドッキングステーション３０２は、コントローラ３００に電力を供給してもよいし、又、コントローラ３００のバッテリーを充電してもよい。ある実施形態では、コントローラ３００は、タッチスクリーン３０４を備えており、ユーザは、タッチスクリーン３０４をタッチすることでコントローラ３００と対話してもよい。例えば、ユーザは、オーディオコンテンツの再生リストを取り出し、ナビゲートし、１つ又は複数のゾーンプレーヤーの再生待ち列を変更及び／又はクリアし、１つ又は複数のゾーンプレーヤーの他の動作を制御し、システム構成１００の全体を制御することができる。ある実施形態では、任意の数のコントローラを使用して、システム構成１００を制御することができる。他の実施形態では、ボイスコントロール等の他の入力メカニズムを使用し、コントローラ３００と通信してもよい。ある実施形態では、システム構成１００を制御可能なコントローラの数を制限してもよい。コントローラは、無線コントローラ３００のように無線であってもよいし、又はデータネットワーク１２８に有線で接続されてもよい。
【００２１】
ある実施形態では、複数のコントローラが図１のシステム１００に使用される場合、各コントローラは、共通のコンテンツを表示するために調整されてもよいし、すべてのコントローラを動的に更新し、１つのコントローラで行われたシステム１００に対する変更を示してもよい。調整は、例えば、コントローラによって、ゾーンプレーヤーのうち１つ又は複数から直接又は間接的に状態変数を定期的に要求することによって行われてもよい。状態変数は、システム１００についての情報を提供してもよく、例えば、現在のゾーングループ構成、１つ又は複数のゾーンで再生しているもの、ボリュームレベル、及び興味のある他の項目などを提供してもよい。状態変数は、必要に応じて、又は多くの場合プログラムされて、ゾーンプレーヤー（及び、もし望むのであれば、コントローラ）間のデータネットワーク１２８上に渡されてもよい。
【００２２】
更に、任意のネットワーク対応携帯デバイス、例えば、ｉＰｈｏｎｅ（登録商標）、ｉＰａｄ（登録商標）、Ａｎｄｒｏｉｄ（登録商標）対応電話又はタブレット、あるいは任意の他のスマートフォン若しくはネットワーク対応デバイスなどで実行されるアプリケーションが、データネットワーク１２８に接続することによってコントローラとして使用できる。ラップトップ又はデスクトップパーソナルコンピュータ（ＰＣ）若しくはＭａｃ（登録商標）上で実行されるアプリケーションも、コントローラ１３０として使用される。そのようなコントローラは、データネットワーク１２８、ゾーンプレーヤー、無線ルータを備えるインタフェースを通じてシステム１００に接続されるか、又はいくつかの他の構成された接続パスを使用してシステム１００に接続されてもよい。カリフォルニア州サンタバーバラのソノズ・インコーポレイテッドが提供するコントローラの例としては、「コントローラ２００」、「ＳＯＮＯＳ（登録商標）  ＣＯＮＴＲＯＬ」、「ＳＯＮＯＳ（登録商標）  Ｃｏｎｔｒｏｌｌｅｒ  ｆｏｒ  ｉＰｈｏｎｅ（登録商標）」、「ＳＯＮＯＳ（登録商標）  Ｃｏｎｔｒｏｌｌｅｒ  ｆｏｒ  ｉＰａｄ（登録商標）」、「ＳＯＮＯＳ（登録商標）  Ｃｏｎｔｒｏｌｌｅｒ  ｆｏｒ  Ａｎｄｒｏｉｄ（登録商標）」、「ＳＯＮＯＳ（登録商標）  Ｃｏｎｔｒｏｌｌｅｒ  ｆｏｒ  Ｍａｃ又はＰＣ」を含む。
【００２３】
ｃ．データ接続の例
図１のゾーンプレーヤー１０２−１２４は、直接又は間接的にデータネットワーク、例えばデータネットワーク１２８に接続される。コントローラ１３０は、直接又は間接的にデータネットワーク１２８に接続されるか、又は個別にゾーンプレーヤーに接続されてもよい。データネットワーク１２８は、示された他の構成要素から目立つように図中に八角形で示されている。データネットワーク１２８が１つの場所に示されているが、そのようなネットワークは、システム１００の中及び周りに配置されることが理解される。特に、データネットワーク１２８は、有線ネットワーク、無線ネットワーク、又は有線ネットワークと無線ネットワークの両方の組み合わせとすることができる。ある実施形態では、ゾーンプレーヤー１０２−１２４の１つ又は複数は、専有のメッシュネットワークに基づいて、データネットワーク１２８に無線で接続されている。ある実施形態では、ゾーンプレーヤーの１つ又は複数は、有線ルータ又は無線ルータ等の集中アクセスポイントを使用して、データネットワーク１２８に接続される。ある実施形態では、ゾーンプレーヤー１０２−１２４の１つ又は複数は、イーサネット（登録商標）又は同様の技術を使用し、データネットワーク１２８への有線を介して接続されている。１つ又は複数のゾーンプレーヤー１０２−１２４をデータネットワーク１２８に接続することに加えて、データネットワーク１２８は、更に、例えば、インターネットなどのワイドエリアネットワークにアクセス可能である。
【００２４】
ある実施形態では、ゾーンプレーヤー１０２−１２４のいくつかをブロードバンドルータに接続することによって、又はいくつかの他の接続デバイスをブロードバンドルータに接続することによって、データネットワーク１２８が形成されてもよい。次に、他のゾーンプレーヤー１０２−１２４は、データネットワーク１２８に対して有線で追加することができるか、又は無線で追加することができる。例えば、ゾーンプレーヤー（例えば、ゾーンプレーヤー１０２−１２４のいずれか）は、ゾーンプレーヤーに設けられたボタンを単に押すことによって、システム構成１００に追加され（又はいくつかの他のアクションを実行し）、データネットワーク１２８への接続を可能にしている。ブロードバンドルータは、例えば、インターネットサービスプロバイダ（ＩＳＰ）に接続することができる。ブロードバンドルータは、他のアプリケーション（例えば、ウェブサーフィン）に使用可能なシステム構成１００内の別のデータネットワークを形成するために使用することができる。データネットワーク１２８はまた、そのようにプログラムされている場合にも使用することができる。ある例では、第２ネットワークは、サンタバーバラのソノズ・インコーポレイテッドによって開発されたＳＯＮＯＳＮＥＴ（商標）プロトコルを実装してもよい。ＳＯＮＯＳＮＥＴ（商標）は、安全で、ＡＥＳ暗号化された、ピア・ツー・ピアの無線メッシュネットワークを表す。あるいは、ある実施形態では、データネットワーク１２８は、家庭内の他の用途に使用されるネットワーク、例えば従来の有線ネットワーク又は無線ネットワークと同じネットワークである。
【００２５】
ｄ．ゾーン構成の例
あるゾーンは、１つ又は複数のゾーンプレーヤーを含むことができる。例えば、図１のファミリールームでは、２つのゾーンプレーヤー１０６及び１０８を含んでおり、一方キッチンでは、１つのゾーンプレーヤー１０２を備えていることが示されている。別の例では、ホームシアタールームは、５．１チャンネル以上のオーディオソースからのオーディオ（例えば、５．１以上のオーディオチャネルでエンコードされたムービー）を再生する追加のゾーンプレーヤーを有する。ある実施形態では、１つは、ルーム内又はスペース内にゾーンプレーヤーを配置し、コントローラ１３０を介してゾーンプレーヤーを新しいゾーンに割り当てるか、又は既存のゾーンに割り当てることができる。そのように、ゾーンが形成されてもよく、ゾーンが別のゾーンと組み合わされてもよく、ゾーンが取り除かれてもよく、ゾーンにある名前（例えば、「キッチン」）が与えられてもよい。また、望むのならば、コントローラ１３０でそのようにするようにプログラムされてもよい。さらに、ある実施形態では、コントローラ１３０又はいくつかの他の機構を使用して構成された後においても、ゾーン構成は、動的に変更してもよい。
【００２６】
ある実施形態では、「結合されたゾーン」は、２つ以上のゾーンプレーヤー、例えば、ファミリールームにおいて２つのゾーンプレーヤー１０６及び１０８を含む。これにより、２つのゾーンプレーヤー１０６及び１０８は、同じオーディオソースを同期して再生するように構成することができる。一例では、２つのゾーンプレーヤー１０６及び１０８は、例えば、左と右のチャンネルのように、２つの別のサウンドを再生するようにペアにすることもできる。言い換えれば、一方を左サウンド用、他方を右サウンド用として使用する２つのゾーンプレーヤー１０６及び１０８を通して、サウンドのステレオ効果が再現されてもよいし、又は強化されてもよい。別の例では、２つ以上のゾーンプレーヤーを音響的に統合し、単一の統合されたゾーンプレーヤーを形成することができる。統合されたゾーンプレーヤーは、追加のスピーカードライバを通ってサウンドが流れるため、（複数の異なるデバイスから構成されている）統合されたゾーンプレーヤーは、統合されていないゾーンプレーヤー又はペアにされたゾーンプレーヤーと比べて、サウンドの処理や再現を異なるように構成することができる。統合されたゾーンプレーヤーは、更に、単一のゾーンプレーヤー又は他の統合されたゾーンプレーヤーとペアにすることができる。統合された再生デバイスのそれぞれの再生デバイスは、例えば、統合モードに設定されることができる。
【００２７】
ある実施形態では、ペアの又は統合されたゾーンプレーヤー（「結合したゾーンプレーヤー」とも呼ばれる）は、同じゾーン又は異なるゾーンにおける他のゾーンプレーヤーと同期してオーディオを再生することもできる。
【００２８】
ある実施形態によれば、ユーザは、ゾーンプレーヤーのグループ化、統合、ペアリング等のいずれかを行い続け、所望の構成を完成させることができる。グループ化、統合、及びペアリングの操作は、好ましくは、例えば、コントローラ１３０を使用するなどの制御インタフェースを通じて行われ、異なる構成を作成するようにスピーカーワイヤーを、例えば、個々の、離れたスピーカーに物理的に接続及び再接続することなく行われる。このように、本明細書内で述べられた特定の実施形態は、より柔軟で動的なプラットフォームを提供し、サウンド再生をエンドユーザに提供することができる。
【００２９】
ｅ．オーディオソースの例
ある実施形態では、各ゾーンは、別のゾーンのオーディオソースと同じオーディオソースから再生することができる。また、各ゾーンは、それぞれ異なるオーディオソースで再生することもできる。例えば、誰かがパティオ上でグリルしながら（ｇｒｉｌｌｉｎｇ）、ゾーンプレーヤー１２４を介してジャズ音楽を聞くことができる。また、誰かがキッチンで食事の準備をしながらゾーンプレーヤー１０２を介してクラシック音楽を聞くこともできる。さらに、誰かがオフィスにいながら、パティオ上でゾーンプレーヤー１２４を介して再生されているジャズ音楽と同じ音楽を、ゾーンプレーヤー１１０を介して聞くこともできる。ある実施形態では、ゾーンプレーヤー１１０と１２４を介して再生されるジャズ音楽が、同期して再生される。複数のゾーン間で再生を同期することで、オーディオを途切れさせることなく（又はほぼ途切れさせることなく）聞きながら、ユーザは、複数のゾーンを移動することができる。さらに、ゾーンを「パーティーモード」とし、連結された全てのゾーンが同期してオーディオを再生することもできる。
【００３０】
ゾーンプレーヤー１０２−１２４によって再生されるオーディオコンテンツのソースは、多数ある。ある実施形態では、ゾーンプレーヤー自体が有するオーディオにアクセスされ、そのオーディオが再生されてもよい。ある実施形態では、コントローラ上のオーディオは、データネットワーク１２８を介してアクセスされ、再生されてもよい。ある実施形態では、コンピュータ又はネットワーク接続ストレージ（ＮＡＳ）上に格納された個人のライブラリから、データネットワーク１２８を介してアクセスされ、音楽が再生されてもよい。ある実施形態では、インターネットラジオ局、番組、及びポッドキャストが、データネットワーク１２８を介してアクセスされ、再生されてもよい。ユーザに音楽とオーディオコンテンツを流し、及び／又はダウンロードさせる音楽サービス又はクラウドサービスは、データネットワーク１２８を介してアクセスされ、再生されてもよい。さらに、音楽は、例えば、ターンテーブル又はＣＤプレーヤーなどの従来のソースから、ラインイン接続を介してゾーンプレーヤーに接続して得られてもよい。オーディオコンテンツはまた、異なるプロトコル、例えば、アップル社のＡｉｒｐｌａｙ（商標）ワイヤレス技術を使用して、アクセスされてもよい。１つ又は複数のソースから受信されたオーディオコンテンツは、データネットワーク１２８及び／又はコントローラ１３０を介して、ゾーンプレーヤー１０２から１２４の間で共有することができる。上述したオーディオコンテンツのソースは、本明細書において、ネットワークベースのオーディオ情報ソースと呼ばれる。しかしながら、ネットワークベースのオーディオ情報は、それらに限定されない。
【００３１】
ある実施形態では、例示のホームシアターゾーンプレーヤー１１６、１１８、１２０は、テレビ１３２などのオーディオ情報ソースに接続されている。ある例では、テレビ１３２が、ホームシアターゾーンプレーヤー１１６、１１８、１２０のためのオーディオソースとして使用されており、一方、他の例においては、テレビ１３２からのオーディオ情報がオーディオシステム１００内のゾーンプレーヤー１０２−１２４のいずれかと共有することができる。
【００３２】
ＩＩＩ．ゾーンプレーヤーの例
図４を参照すると、実施の形態に関連するゾーンプレーヤー４００の例示的なブロック図が示されている。図４のゾーンプレーヤー４００は、ネットワークインタフェース４０２、プロセッサ４０８、メモリ４１０、オーディオ処理コンポーネント４１２、１つ又は複数のモジュール４１４、オーディオアンプ４１６、及びスピーカーユニット４１８を含む。スピーカーユニット４１８は、オーディオアンプ４１６に接続されている。図２Ａは、そのようなゾーンプレーヤーの例を図示している。他のタイプのゾーンプレーヤーは、（例えば、図２Ｂに示される）スピーカーユニット４１８又は（例えば、図２Ｃに示される）オーディオアンプ４１６を含まなくてもよい。さらに、ゾーンプレーヤー４００は、別のコンポーネントに統合できることが意図されている。例えば、ゾーンプレーヤー４００は、屋内又は屋外で使用するテレビ、照明、又はいくつかの他のデバイスの一部として構成することができる。
【００３３】
ある実施形態では、ネットワークインタフェース４０２は、データネットワーク１２８上のゾーンプレーヤー４００と他のデバイスとの間のデータフローを可能にする。ある実施形態では、データネットワーク１２８上の別のゾーンプレーヤー又はデバイスからオーディオを取得することに加えて、ゾーンプレーヤー４００は、オーディオソースから、例えば、ワイドエリアネットワーク上のオーディオソースから、又はローカルネットワーク上のオーディオソースから直接オーディオにアクセスできる。更に、ある実施形態では、ネットワークインタフェース４０２は、各パケットのアドレス部を扱い、各パケットが正しい宛先に到達するように、ゾーンプレーヤー４００に向かうべきパケットを受信する。したがって、特定の実施形態では、パケットのそれぞれは、ＩＰベースのソースアドレスだけでなくＩＰベースの宛先アドレスも含む。
【００３４】
ある実施形態では、ネットワークインタフェース４０２は、無線インタフェース４０４と有線インタフェース４０６とのどちらか一方又は両方を含むことができる。無線インタフェース４０２は、無線周波数（ＲＦ）インタフェースとも呼ばれ、ゾーンプレーヤー４００にネットワークインタフェース機能を提供し、通信プロトコル（例えば、無線規格ＩＥＥＥ８０２．１１ａ、８０２．１１ｂ、８０２．１１ｇ、８０２．１１ｎ、８０２．１１ａｃ、８０２．１５、４Ｇモバイル通信基準などを含む無線基準（規格）のいずれか）に従って他のデバイス（例えば、他のゾーンプレーヤー、スピーカー、受信機、データネットワーク１２８に関連付けられたコンポーネントなど）と無線で通信する。無線インタフェース４０４は、１つ又は複数の無線機を含んでもよい。無線信号を受信すると共に、無線信号を無線インタフェース４０４に提供し、かつ無線信号を送信するため、ゾーンプレーヤー４００は、１つ又は複数のアンテナ４２０を含む。有線インタフェース４０６は、ネットワークインタフェース機能をゾーンプレーヤー４００に提供し、通信プロトコル（例えば、ＩＥＥＥ８０２．３）に従って他のデバイスと有線で通信する。ある実施形態では、ゾーンプレーヤーは、複数の無線インタフェース４０４を含む。ある実施形態では、ゾーンプレーヤーは、複数の有線インタフェース４０６を含む。ある実施形態では、ゾーンプレーヤーは、インタフェース４０４と４０６の両方を含む。ある実施形態では、ゾーンプレーヤー４００は、無線インタフェース４０４のみを含むか、又は有線インタフェース４０６のみを含む。
【００３５】
ある実施形態では、プロセッサ４０８は、クロック駆動の電子デバイスであり、コンピュータのメモリ４１０に記憶された命令に従って、入力データを処理するように構成されている。メモリ４１０は、１つ又は複数のソフトウェアモジュール４１４を搭載することができるデータストレージであり、コンピュータのプロセッサ４０８によって実行されることであるタスクを実行することができる。図示された実施形態では、メモリ４１０は、有形のコンピュータ読取可能記憶媒体であって、プロセッサ４０８によって実行可能な命令を記憶している。ある実施形態では、タスクとは、ゾーンプレーヤー４００が別のゾーンプレーヤー又はネットワーク上のデバイスから（例えば、ユー・アール・エル（ＵＲＬ）又はいくつかの他の識別子を使用して）オーディオデータを取得することであってもよい。ある実施形態では、タスクは、ゾーンプレーヤー４００が別のゾーンプレーヤーにオーディオデータを送信することか、又はネットワーク上のデバイスにオーディオデータを送信することであってもよい。ある実施形態では、タスクは、ゾーンプレーヤー４００のオーディオの再生を１つ又は複数の追加のゾーンプレーヤーと同期させることであってもよい。ある実施形態では、タスクは、ゾーンプレーヤー４００を１つ又は複数のゾーンプレーヤーとペアにし、マルチチャネルオーディオ環境を作成することであってもよい。追加のタスク又は代替的なタスクは、１つ又は複数のソフトウェアモジュール４１４及びプロセッサ４０８を介して実行することができる。
【００３６】
オーディオ処理コンポーネント４１２は、１つ又は複数のデジタル−アナログ変換器（ＤＡＣ）、オーディオ前処理コンポーネント、オーディオ強化コンポーネント又はデジタル信号プロセッサなどを含むことができる。ある実施形態では、オーディオ処理コンポーネント４１２は、プロセッサ４０８の一部であってもよい。ある実施形態では、ネットワークインタフェース４０２を介して取り出されたオーディオは、オーディオ処理コンポーネント４１２によって処理される、及び／又は意図的に変更される。さらに、オーディオ処理コンポーネント４１２は、アナログオーディオ信号を生成することができる。処理されたアナログオーディオ信号は、オーディオアンプ４１６に提供され、スピーカー４１８を通して再生される。また、オーディオ処理コンポーネント４１２は、ゾーンプレーヤー４００から再生するための入力としてアナログ又はデジタル信号を処理し、ネットワーク上の別のゾーンプレーヤーに送信することができる。また、オーディオ処理コンポーネント４１２は、ネットワーク上の別のデバイスに再生と送信の両方を行うために回路を含むこともできる。入力の例としては、ラインイン接続（例えば、オートディテクティング３．５ｍｍオーディオラインイン接続）を含む。
【００３７】
オーディオアンプ４１６は、１つ又は複数のスピーカー４１８を駆動できるレベルまでオーディオ信号を増幅するデバイスである。１つ又は複数のスピーカー４１８は、個々の変換器（例えば、「ドライバ」）又は、１つ又は複数のドライバを内包する筐体を含んだ完全なスピーカーシステムを含むことができる。特定のドライバは、例えば、サブウーファー（例えば、低周波用）、ミッドレンジドライバ（例えば、中間周波用）、及びツイーター（例えば、高周波用）であってもよい。筐体は、例えば、密封することもでき、又は移植することもできる。各変換器は、それ自体の個々の増幅器によって駆動されてもよい。
【００３８】
現在、市販されている例として知られているゾーンプレーヤーとして、内蔵アンプとスピーカーとを備えるＰＬＡＹ：５（商標）がある。ＰＬＡＹ：５（商標）は、例えば、インターネット又はローカルネットワークなどのソースから直接オーディオを取り出すことができる。特に、ＰＬＡＹ：５（商標）は、５アンプ、５ドライバ・スピーカーシステムであり、それは２つのツイーター、２つのミッドレンジドライバ及び１つのウーファーを含んでいる。ＰＬＡＹ：５（商標）を通じてオーディオコンテンツを再生する場合、トラックの左側のオーディオデータは、左側のツイーターと左側のミッドレンジドライバから送られる。トラックの右側のオーディオデータは、右側のツイーターと右側のミッドレンジドライバから送られる。また、モノラル低音は、サブウーファーから送られる。さらに、両方のミッドレンジドライバと両方のツイーターが同じイコライゼーション（又は実質的に同じイコライゼーション）を有してもよい。つまり、これらの両方が同じ周波数にて異なるオーディオチャネルから送信される。ＰＬＡＹ：５（商標）は、インターネットラジオ局又はオンライン音楽・ビデオサービスからのオーディオ、ダウンロードされた音楽、アナログオーディオ入力、テレビ、ＤＶＤなどを再生することができる。
【００３９】
ＩＶ．コントローラの例
図５を参照すると、図１の制御デバイス１３０に対応可能なコントローラ５００の例示的なブロック図が示されている。コントローラ５００は、システム内のマルチメディアアプリケーションの制御、自動化及びその他のことを可能にするために使用することができる。特に、コントローラ５００は、ネットワーク上にて利用可能な複数のオーディオソースを選択することを可能にすると共に、無線又は有線のネットワークインタフェース５０８を介して１つ又は複数のゾーンプレーヤー（例えば、図１のゾーンプレーヤー１０２−１２４）の制御を可能にするように構成することができる。一実施形態によれば、無線通信は、標準規格に基づいている（例えば、赤外線、ラジオ、あるいは、ＩＥＥＥ８０２．１１ａ、８０２．１１ｂ、８０２．１１ｇ、８０２．１１ｎ、８０２．１５、４Ｇモバイル通信基準等を含む無線規格）。さらに、特定のオーディオがコントローラ５００を介してアクセスされている場合か、又は特定のオーディオがゾーンプレーヤーを経由して再生されている場合、画像（例えば、アルバムアート）又は他のデータが、オーディオ及び／又はオーディオソースに関連付けられてコントローラ５００へ送信され、あるゾーンプレーヤー又は他の電子機器から表示することもできる。
【００４０】
コントローラ５００には、スクリーン５０２と入力インタフェース５１４が設けられている。これにより、ユーザはコントローラ５００と対話し、例えば、多くのマルチメディア項目の再生リストをナビゲートしたり、１つ又は複数のゾーンプレーヤーの動作を制御することができる。コントローラ５００上のスクリーン５０２は、例えば、液晶ディスプレイ（ＬＣＤ）スクリーンとすることができる。スクリーン５０２は、マイクロコントローラ（例えば、プロセッサ）５０６によって制御されるスクリーンドライバ５０４と通信すると共に、コマンドを受信する。メモリ５１０は、１つ又は複数のアプリケーションモジュール５１２をロードすることができる。ある実施形態では、アプリケーションモジュール５１２は、選択された複数のゾーンプレーヤーをゾーングループにグループ化し、ゾーンプレーヤーを同期して、オーディオを再生することができるように構成されている。ある実施形態では、アプリケーションモジュール５１２は、ゾーングループ内のゾーンプレーヤーのオーディオサウンド（例えば、ボリューム）を制御するように構成されている。動作中において、マイクロコントローラ５０６がアプリケーションモジュール５１２の１つ又は複数を実行するとき、スクリーンドライバ５０４は、スクリーン５０２を駆動するための制御信号を生成し、特定のユーザインタフェースにアプリケーションを表示する。
【００４１】
コントローラ５００は、有線又は無線でゾーンプレーヤーと通信できるネットワークインタフェース５０８を含む。ある実施形態では、ボリュームコントロール及びオーディオ再生同期などのコマンドは、ネットワークインタフェース５０８を介して送信される。ある実施形態では、保存されたゾーングループ構成がネットワークインタフェース５０８を介してゾーンプレーヤーとコントローラとの間に転送される。コントローラ５００は、１つ又は複数のゾーンプレーヤー、例えば、図１のゾーンプレーヤー１０２−１２４などを制御することができる。特定のシステム用に複数のコントローラを利用することができる。各コントローラは別のコントローラと共通の情報を共有することができる。又は、ゾーンプレーヤーが構成データ（例えば、状態変数など）を格納している場合、ゾーンプレーヤーから共通の情報を取り出すことができる。さらに、コントローラは、ゾーンプレーヤーに統合することができる。
【００４２】
他のネットワーク対応デバイス、例えば、ｉＰｈｏｎｅ（登録商標）、ｉＰａｄ（登録商標）若しくは他の任意のスマートフォン又はネットワーク対応デバイス（例えば、ＰＣ又はＭａｃ（登録商標）などのネットワーク・コンピュータなど）は、特定の環境内のゾーンプレーヤーと対話するためのコントローラ、又は制御するためのコントローラとしても使用できることに留意すべきである。ある実施形態では、ソフトウェアアプリケーション又は更新は、ネットワーク対応デバイス上にダウンロードされ、本明細書で述べられている機能を実行できる。
【００４３】
ある実施形態では、ユーザは、コントローラ５００から少なくとも２つのゾーンプレーヤーを含むゾーングループ（結合されたゾーンとも呼ばれる）を作成することができる。ゾーングループ内のゾーンプレーヤーは、同期化された方法でオーディオを再生し、ゾーングループ内のすべてのゾーンプレーヤーが同一のオーディオソースを再生する方法か、試聴遅延がないか又は音が途切れない（試聴遅延がほぼないか又は音の途切れがほぼない）ように同期する方法で、同一のオーディオソースのリストを再生することができる。同様に、ある実施形態では、ユーザがコントローラ５００からグループのオーディオボリュームを大きくするとき、グループのオーディオボリュームを大きくする信号又はデータが、ゾーンプレーヤーの１つに送信され、グループ内の他のゾーンプレーヤーのボリュームを一緒に大きくする。
【００４４】
ユーザは、コントローラ５００を介して、「Ｌｉｎｋ  Ｚｏｎｅｓ（ゾーンをリンク）」又は「Ａｄｄ  Ｚｏｎｅ（ゾーンを追加）」のソフトボタンをアクティブにすることによってゾーンプレーヤーをゾーングループにグループ化することができ、又ユーザは、「Ｕｎｌｉｎｋ  Ｚｏｎｅｓ（ゾーンをリンク解除）」又は「Ｄｒｏｐ  Ｚｏｎｅ（ゾーンをドロップ）」ボタンをアクティブにすることによってゾーングループをグループ解除することができる。例えば、オーディオを再生するためにゾーンプレーヤーを一緒に「参加させる」ための１つの機構は、複数のゾーンプレーヤーをリンクしてグループを形成することである。複数のゾーンプレーヤーをリンクするために、ユーザは、手動でそれぞれのゾーンプレーヤー又は部屋を次々にリンクすることができる。例えば、バスルーム、寝室、書斎、ダイニングルーム、ファミリールーム、及び玄関の各ゾーンを含むマルチゾーンシステムがあると想定する。ある実施形態では、ユーザは、例えば、単一のゾーンで始めて、次に、それぞれのゾーンをそのゾーンに手動でリンクすることによって、６つのゾーンプレーヤーのうち任意の数のゾーンプレーヤーだけをリンクすることができる。
【００４５】
ある実施形態では、ゾーンは、コマンドを使用して共に動的にリンクし、（最初にゾーンシーンを作成した後に）ゾーンシーン又はテーマを作成することができる。例えば、「Ｍｏｒｎｉｎｇ（朝）」ゾーンシーンコマンドは、寝室、オフィス、及びキッチンゾーンを１つの動作で一緒にリンクすることができる。この単一のコマンドがないと、ユーザは、各ゾーンを個別に手動でリンクする。単一のコマンドは、マウスクリック、ダブルマウスクリック、ボタンを押すこと、ジェスチャー、あるいはいくつかの他のプログラムされた動作、又は学習した動作を含んでもよい。他の種類のゾーンシーンをプログラムすることもできるし、徐々に学習することもできる。
【００４６】
ある実施形態では、ゾーンシーンは、時間（例えば、アラームクロック機能）に基づいてトリガーすることができる。例えば、ゾーンシーンは、午前８：００に適用されるように設定することができる。システムは、適切なゾーンに自動的にリンクすることができ、特定の音楽を再生するように設定することができ、所定の期間経過した後に音楽の再生を停止し、ゾーンを前の構成に戻すこともできる。任意の特定のゾーンが時間に基づいて状態を「オン」又は「オフ」にトリガーすることができるが、例えば、ゾーンシーンは、シーンとリンクされた任意のゾーンが、予め定義されたオーディオ（例えば、お気に入りの歌、所定の再生リスト）を、ある時間に、及び／又はある期間で再生可能なようにしている。何らかの理由により、スケジュールされた音楽の再生を失敗した（例えば、再生リストが空である、共有への接続がない、ユニバーサルプラグアンドプレイ（ＵＰｎＰ）の失敗、インターネットラジオ局へのインターネット接続がないなどの）場合、バックアップブザーが鳴るようにプログラムすることができる。ブザーとして、例えば、ゾーンプレーヤーに格納されたサウンドファイルを含むことができる。
【００４７】
Ｖ．再生待ち列
上述したように、ある実施形態では、ゾーンプレーヤーは、ゾーンプレーヤーによって再生するための０以上のメディアアイテムを識別する再生待ち列に割り当てられてもよい。再生待ち列内で識別されているメディアアイテムは、コントローラのインタフェースを介して、ユーザに対して表示されてもよい。例えば、表示は、ユーザ（又は複数のコントローラがシステムに接続させている場合は複数のユーザ）に、ゾーンプレーヤーがどのように再生待ち列をトラバース（ｔｒａｖｅｒｓｅ）しているかを表示している。例えば、「再生中（ｎｏｗ  ｐｌａｙｉｎｇ）」を強調すること、前回再生していたアイテムをグレーアウトすること、再生されるべきアイテムを強調するなどによって行われている。
【００４８】
ある実施形態では、単一のゾーンプレーヤーが再生待ち列に割り当てられている。例えば、図１の浴室のゾーンプレーヤー１１４は、「浴室」再生待ち列にリンクされてもよいし、又は割り当てられてもよい。ある実施形態では、「浴室」再生待ち列は、システムによって構成され、ユーザがゾーンプレーヤー１１４を浴室に関連付けることによって行われる。このように、「浴室」再生待ち列に追加され、且つ、識別されたコンテンツは、ゾーンプレーヤー１１４（浴室ゾーン）を介して再生することができる。
【００４９】
ある実施形態では、ゾーン又はゾーングループは、再生待ち列に割り当てられる。例えば、図１のファミリールームのゾーンプレーヤー１０６及び１０８は、「ファミリールーム」再生待ち列にリンクされてもよいし、割り当てられてもよい。別の例では、ファミリールームとダイニングルームとがグループ化されている場合、新しいグループがファミリールーム＋ダイニングルーム再生待ち列にリンクされるか、又は割り当てられる。ある実施形態では、ファミリールーム＋ダイニングルーム再生待ち列が、グループの作成に基づいて構成される。ある実施形態では、新しいグループを構成する際に、ファミリールーム＋ダイニングルーム再生待ち列は、ファミリールームか、又はダイニングルームのいずれか一方又は両方に関連付けられた再生待ち列の一方（又は両方）のコンテンツを自動的に含めることができる。ある例では、ユーザがファミリールームで開始し、後でダイニングルームを追加した場合、ファミリールーム再生待ち列のコンテンツがファミリールーム＋ダイニングルーム再生待ち列のコンテンツになる。別の例では、ユーザがファミリールームで開始し、後でダイニングルームを追加した場合、ファミリールーム再生待ち列が、ファミリールーム＋ダイニングルーム再生待ち列にリネームされる。新しいグループが「グループを解除」する場合、ファミリールーム＋ダイニングルーム再生待ち列は、システムから取り除かれ、及び／又はゾーンの１つにリネームされる（例えば、「ファミリールーム」又は「ダイニングルーム」にリネームされる）。グループを解除した後、ファミリールーム及びダイニングルームのそれぞれは、別々の再生待ち列に割り当てられる。ゾーン又はゾーングループにおけるゾーンプレーヤーの１つ又は複数は、関連付けられた再生待ち列をメモリに記憶してもよい。
【００５０】
このように、ユーザがコントローラを用いて、ゾーン又はゾーングループを動的に「グループ化する」又は「グループを解除する」とき、ある実施形態において、それぞれのゾーン又はゾーングループが再生待ち列に割り当てられるため、システムは、再生待ち列をそれぞれ構成するか、又は取り除き／リネームする。言い換えれば、再生待ち列は、割り当てられたゾーンで再生されるメディアアイテムを追加することができる入れ物として動作する。ある実施形態では、再生待ち列で識別されたメディアアイテムを操作することができる（例えば、メディアアイテムを再配置する、追加する、削除する等ができる）。
【００５１】
図示の目的のため、図６は、メディアコンテンツの再生のための例示的なネットワーク６００を示している。図示されるように、例示的なネットワーク６００は、例示的なゾーンプレーヤー６１２、６１４、例示的なオーディオソース６６２、６６４、及び例示的なメディアアイテム６２０を含む。メディアアイテム６２０は、プレイリスト６２２、音楽トラック６２４、お気に入りのインターネットラジオ局６２６、プレイリスト６２８及び６３０、及びアルバム６３２を含んでもよい。ある実施形態では、ゾーンプレーヤー６１２及び６１４は、図１、図２及び図４に示されるゾーンプレーヤーのいずれかであってもよい。例えば、ゾーンプレーヤー６１２及び６１４は、ファミリールームのゾーンプレーヤー１０６及び１０８であってもよい。
【００５２】
ある例では、例示的なオーディオソース６６２及び６６４と例示的なメディアアイテム６２０とが、以降で述べられる図８で参照されるクラウドネットワークに部分的に記憶されてもよい。ある場合、オーディオソース６６２、６６４の一部、及びメディアアイテム６２０は、ゾーンプレーヤー６１２及び６１４のいずれか又は両方にローカルに記憶されてもよい。一実施形態では、プレイリスト６２２、お気に入りのインターネットラジオ局６２６、及びプレイリスト６３０がローカルに記憶されてもよいし、音楽トラック６２４、プレイリスト６２８、及びアルバム６３２がクラウドネットワークに記憶されてもよい。
【００５３】
メディアアイテム６２０のそれぞれは、ゾーンプレーヤーによって再生可能なメディアアイテムのリストであってもよい。一実施形態では、例示的なメディアアイテムは、オーディオソース６６２及び６６４等の場所に記憶されたメディアアイテムに関する基礎データへのリンク又はポインタ（例えば、ＵＲＩ）の集合であってもよい。別の実施形態では、メディアアイテムは、ローカル接続のゾーンプレーヤー、ローカルネットワーク上の別のゾーンプレーヤー、又はローカルネットワークに接続されたコントローラに記憶されたメディアコンテンツへのポインタを含んでもよい。
【００５４】
示されるように、例示的なネットワーク６００は、ゾーンプレーヤー６１２に関連付けられた例示的な待ち列６０２、及びゾーンプレーヤー６１４に関連付けられた例示的な待ち列６０４を含んでもよい。待ち列６０６が存在する場合、待ち列６０６は、ゾーンプレーヤー６１２及び６１４を含むグループに関連付けられてもよい。待ち列６０６は、新しい待ち列を含んでもよいし、あるいは待ち列６０２又は６０４をリネームしたものとして存在してもよい。ある実施形態では、グループ内で、ゾーンプレーヤー６１２及び６１４が待ち列６０６に割り当てられると、待ち列６０２及び６０４が使用できなくなる。ある実施形態では、グループが存在しないとき、待ち列６０６が使用できない。それぞれのゾーンプレーヤー、及びゾーンプレーヤーのネットワークにおけるゾーンプレーヤーのそれぞれの組み合わせは、例えば、図１に示されるもの、又はゾーンプレーヤー６１２、６１４のもの、例示的な組み合わせ６１６などがあり、それらは対応する再生待ち列に一意的に割り当てられてもよい。
【００５５】
再生待ち列６０２−６０６等の再生待ち列は、対応するゾーンプレーヤー又は組み合わせられたゾーンプレーヤーによって再生されるメディアコンテンツの識別を含んでもよい。このように、再生待ち列に追加されたメディアアイテムは、対応するゾーンプレーヤー又は組み合わせられたゾーンプレーヤーによって再生される。ゾーンプレーヤーは、ある順番（例えば、アイテムが追加された順番など）、ランダムの順番、又はいくつかの他の順番に従って待ち列内のアイテムを再生するように構成されてもよい。
【００５６】
再生待ち列は、プレイリストの組み合わせ、及び待ち列に追加された他のメディアアイテムを含んでもよい。一実施形態では、ゾーンプレーヤー６１２によって再生される再生待ち列６０２内のアイテムは、オーディオソース６６２、６６４からのアイテム、又はメディアアイテム６２２−６３２のいずれかを含んでもよい。また、再生待ち列６０２は、ゾーンプレーヤー６１２にローカルに記憶されたアイテム、又はゾーンプレーヤー６１４からアクセス可能なアイテムを含んでもよい。例えば、再生待ち列６０２は、インターネットラジオ６２６、アルバム６３２、オーディオソース６６２からのアイテム、ゾーンプレーヤー６１２に記憶されたアイテムを含んでもよい。
【００５７】
コントローラのインタフェースを介して、待ち列にメディアアイテムが追加されるとき、アイテムへのリンクが、待ち列に追加されてもよい。待ち列にプレイリストを追加する場合では、プレイリスト内のメディアアイテムへのリンクが待ち列に提供されてもよい。例えば、再生待ち列６０２は、インターネットラジオ６２６及びアルバム６３２からのポインタ、オーディオソース６６２のアイテムへのポインタ、及びゾーンプレーヤー６１２のアイテムへのポインタを含んでもよい。別の場合では、プレイリストへのリンク、例えば、プレイリスト内のメディアアイテムへのリンクが、待ち列に提供されてもよい。また、ゾーンプレーヤー又は組み合わせられたゾーンプレーヤーが、プレイリストを介してメディアアイテムにアクセスすることによってプレイリスト内のメディアアイテムを再生してもよい。例えば、アルバム６３２は、オーディオソース６６２に記憶されたアイテムへのポインタを含んでもよい。オーディオソース６６２のアイテムへのリンクを追加するよりもむしろ、アルバム６３２へのリンクが再生待ち列６０２に追加されてもよい。これによって、ゾーンプレーヤー６１２は、アルバム６３２におけるポインタを介してアイテムにアクセスすることで、オーディオソース６６２のアイテムを再生してもよい。
【００５８】
ある場合では、ある時点で再生待ち列内に存在するコンテンツが、プレイリストとして記憶され、その後、同じ待ち列に追加されるか、又は別の待ち列に追加されてもよい。例えば、再生待ち列６０２のコンテンツは、ある時点で、ゾーンプレーヤー６１２及び／又はクラウドネットワークにローカルに記憶されたプレイリストとして保存されてもよい。保存されたプレイリストは、再生待ち列６０４に追加され、ゾーンプレーヤー６１４によって再生されてもよい。
【００５９】
ＶＩ．アドホックネットワークの例
以下、例示の目的のために、ある例を図７と関連付けて提供することによって、再生ネットワークへの接続を容易に提供する実施形態を述べる。図７は、アドホックネットワーク７１０と称されるネットワークブランチを構成する、三つのゾーンプレーヤー７０２、７０４、７０６およびコントローラ７０８を示す。ネットワーク７１０は、無線ネットワークであってもよく、有線ネットワークであってもよく、又は、有線と無線とが混在したネットワークであってもよい。一般的にアドホック（又は「自発的な（ｓｐｏｎｔａｎｅｏｕｓ）」）ネットワークは、ローカルエリアネットワークであるか、又は、一般的に全てのトラフィックに対して一つのアクセスポイントも有しないその他の小さい領域のネットワークである。アドホックネットワーク７１０において、デバイス７０２、７０４、７０６、７０８は、例えば、「ピア・ツー・ピア」スタイルの通信で、互いに通信することができる。更に、１つ又は複数のデバイスをネットワーク７１０に追加でき、及び／又は、１つ又は複数のデバイスをネットワーク７１０から取り除くことができる一方、ネットワーク７１０は、ユーザがネットワーク７１０を再構築することなしに自動的にそれ自体を再構築することができる。アドホックネットワークが、図７に示されているが、再生ネットワークは、アドホックネットワークと完全に異なるタイプのネットワークに基づくものや、アドホックネットワークと部分的に異なるネットワークに基づくものであってもよい。
【００６０】
アドホックネットワーク７１０を使用することによって、デバイス７０２、７０４、７０６、７０８は、１つ又は複数のオーディオソースを共有したり、交換したりすることができ、又、同じ若しくは異なるオーディオソースを出力する際に動的にグループ化すること（あるいはグループを解除すること）ができる。例えば、デバイス７０２、７０４は、音楽のワンピース（一節）を出力する際にグループ化されてもよく、その際に、デバイス７０６が、音楽の他のピース（一節）を出力してもよい。例えば、図７に示すデバイス７０２、７０４、７０６、７０８は、オーディオの配信とサウンドの再生とのうちの少なくとも一方を実行するハウスホールド（ＨＯＵＳＨＯＬＤ）を構成する。ここで使用される用語「ハウスホールド」は、ユーザの住居を意味するものではなく、アプリケーションやサービスを提供する際に協働するネットワークデバイスの全体を表す。ある「ハウスホールド」は、例えば、ハウスホールド（又は、ハウスホールド識別子）７１０で特定されるが、「ハウスホールド」は、異なるエリアで特定されてもよい。
【００６１】
ある実施形態では、ハウスホールド識別子（ＨＨＩＤ）は、個（ユニーク）を区別するためにコンピュータで生成される、短い文字列又は識別子である。ネットワーク７１０は、特有のＨＨＩＤと、構成変数であるパラメータの特有のセットとによって特徴づけられる。構成変数すなわちパラメータの特有のセットとしては、例えば、チャンネル（例えば、個別の周波数帯域）、サービスセットＩＤ（ＳＳＩＤ）（無線ネットワーク名としての、アルファベットと数字とを組み合わせてなる一連の文字列）およびＷＥＰキー（有線と同等のプライバシー）またはその他のセキュリティキーがある。ある実施形態では、ＳＳＩＤは、ＨＨＩＤと同じになるように設定される。
【００６２】
ある実施形態では、各ハウスホールドは、二つのタイプのネットワークノード、すなわち、制御点（ＣＰ）と、ゾーンプレーヤー（ＺＰ）とを含む。制御点は、要求されるネットワークパラメータ（例えば、セキュリティキー）の自動生成を含む、全ネットワーク設定過程および優先順位付け（ｓｅｑｕｅｎｃｉｎｇ）を制御する。一実施形態では、ＣＰは、ユーザにハウスホールド構成ユーザインタフェースを提供する。ＣＰ機能は、コンピュータ稼働ＣＰアプリケーションモジュールによって提供されるか、又は、ＣＰアプリケーションモジュールが実行される携帯式のコントローラ（例えば、コントローラ３０８）によって提供される。ゾーンプレーヤーは、自動的構成過程に加わる他のデバイスである。この明細書で使用される表記ＺＰは、例えば、コントローラ３０８やコンピュータ処理を行うデバイスを含む。ある実施形態では、機能か又は機能の一部は、ＣＰおよびＺＰの両方において、シングルノード（例えば、ＺＰは、ＣＰを含むか、あるいは、その逆もまた成立する）で結合される。
【００６３】
ある実施形態では、ハウスホールドの構成は、複数のＣＰ及び複数のＺＰを含み、複数のＣＰ及び複数のＺＰは、集合して公知の構成を確立することによって、それらは通信における基準ネットワークプロトコル（例えば、有線又は無線イーサネット（登録商標）上でのＩＰ）を使用することができる。一実施形態では、２つのタイプのネットワーク／プロトコルである、イーサネット（登録商標）８０２.３と無線８０２.１１ｇとが利用される。ＣＰとＺＰとの間の相互接続は、ネットワーク／プロトコルのいずれかを使用することにより実現することができる。システム内のデバイスは、ハウスホールドのメンバーとして、両方のネットワークに同時に接続できる。
【００６４】
２つのネットワークを使用することができる環境では、システム内の少なくとも１つのデバイスは、ブリッジデバイスとして両方に接続され、これによって、有線／無線ネットワークの間のブリッジサービスが提供される。図７では、例えば、ゾーンプレーヤー７０６が、２つのネットワークに接続可能であることが示されている。ネットワーク６１２への接続は、イーサネット（登録商標）および無線のうちの少なくとも一方に基づいて行われ、望むのであれば、他のデバイス７０２、７０４、７０８への接続は、無線およびイーサネット（登録商標）に基づいて行われる。
【００６５】
ある実施形態では、各ゾーンプレーヤー７０２、７０４、７０６は、ブリッジデバイスを介してクラウド（例えば、インターネット）からメディアを読み出すときに、インターネットにアクセスすることができる。例えば、ゾーンプレーヤー７０２は、クラウド内の特定のオーディオトラックのアドレスを規定するユー・アール・エル（ＵＲＬ）を含んでもよい。ＵＲＬを使用することによって、ゾーンプレーヤー７０２は、クラウドからオーディオトラックを読み出し（検索し）てもよく、最終的に１つ又は複数のゾーンプレーヤーからのオーディオを出力してもよい。
【００６６】
ＶＩＩ.システム構成の別例
図８に、クラウドベースネットワークと、少なくとも一つのローカル再生ネットワークとを含む相互接続された複数のネットワークを有するシステム８００を示す。ローカル再生ネットワークは、複数の再生デバイス又は複数の再生プレーヤーを含むが、再生ネットワークは再生デバイスを１つだけ含むものであってもよい。ある実施形態では、各プレーヤーは、再生するコンテンツを読み出すアビリティを有する。例えば、制御およびコンテンツの読み出しは、分散することもできるし、集中させることもできる。入力には、ストリーミングコンテンツプロバイダーによる入力、サードパーティアプリケーションによる入力、モバイルデバイスによる入力、ユーザによる入力、及び／又はローカル配信および再生のために、クラウドへ入力する他の再生ネットワークによる入力が含まれる。
【００６７】
図８の例示的なシステム８００に示すように、複数のコンテンツプロバイダー８２０−８５０を、クラウド及び／又は他のネットワーク８１０を介して、１つ又は複数のローカル再生ネットワーク８６０−８７０に接続することができる。クラウド８１０を使用することによって、マルチメディアオーディオシステム８２０（例えば、Ｓｏｎｏｓ（登録商標））、モバイルデバイス８３０、サードパーティアプリケーション８４０、コンテンツプロバイダー８５０等が、マルチメディアコンテンツ（要求されたものかまたはそうでなもの）を、ローカル再生ネットワーク８６０、８７０に提供する。各ローカル再生ネットワーク８６０、８７０内では、コントローラ８６２、８７２及び再生デバイス８６４、８７４が使用されて、オーディオコンテンツを再生することができる。
【００６８】
ＶＩＩＩ．多次元及びクロスサービスの検索の実施形態
図１のメディアシステム構成１００、図６の例示的なネットワークシステム６００、図７に示される例示的なネットワークシステム、並びにソノズネットワーク１及びＮは、例示的なメディア再生システムであって、そのうちの多次元検索及び／又はクロスサービス検索を対象とする１つ又は複数の実施形態が特に有用である。それらのシステムの様々な態様について、他の図面に示されたアイテムに加えて、以下で言及し、多数の多次元検索及び／又はクロスサービス検索の実施形態を説明する。
【００６９】
以下の説明と図面から明らかなように、この明細書中で説明される技術の利点は多数ある。例えば、ある実施形態において、ユーザインタフェース上での場所についての単一のユーザの選択により、多次元検索がメタデータに基づいて実行される。当該メタデータは、アルバム、アーティスト、トラック、ジャンル、プレイリストなどであり、各メタデータを使用することによって、さらに別の次元の検索が引き起こされる。他の実施形態では、ユーザインタフェース上での場所についての単一のユーザの選択により、アクセス可能なオーディオソースのクロスサービス検索が引き起こされる。さらに他の実施形態では、ユーザインタフェース上での場所についての単一のユーザの選択により、多次元及びクロスサービスの検索が引き起こされる。ある実施形態では、ユーザインタフェース上での場所についての単一のユーザの選択により、同一サービスの検索、又は同一サービスとクロスサービスの両方の検索が引き起こされる。他の実施形態では、検索結果は表示のためにソートされる。ある実施形態では、検索結果は、さらに、メタデータとオーディオソースに関連付けられた優先度に基づいて、ソートされうる。他の実施形態では、関連するメタデータを使用して、選択された場所に対するメタデータの相対的な位置付けに基づいて、検索結果をフィルタにかけることもできる。他の実施形態も、この明細書で説明する。
【００７０】
例を挙げると、場所についての単一のユーザの選択の例は、指で画面をタップすること、同一の場所で画面を二回速くタップすること、指でアイテムに触れ且つその状態を持続すること、ある方向に指をドラッグすること又はある場所から開始すること、ピンチオープン又はピンチクローズ、ハードボタン（必ずしもソフトキーではない）を押すこと、又は検索を引き起こすように構成された任意の他のユーザアクションを実行することを含む。
【００７１】
実施形態が有用であることが分かる（多数のうちの）一例では、ユーザは、ユーザのメディア再生システム上で、ラジオ形式のオーディオ局（例えば、「ＴＵＮＥＩＮ（商標）  ｒａｄｉｏ」、「ＲＤＩＯ（商標）」、「ＰＡＮＤＯＲＡ（商標）  Ｒａｄｉｏ」など）を聴き、好きな歌を聞く。従来は、歌が一旦終わると、ラジオ局がしばらく後の大抵予測できない時間に再度その歌を流さない限り、ユーザはその歌を再度聴くことはできなかった。しかし、この明細書で説明する一つ又は複数の実施形態を使用すると、ユーザは、ユーザインタフェース上で、検索の実行を引き起こす場所を選択することによって、好みに応じて、歌、アルバム、アーティスト、又はさらに他のものを探し出すことができる。検索は、プログラム化されている場合、多次元で且つ、異なる及び／又は多数のオーディオソースに及ぶことができる。ユーザは、結果に基づいて、歌をお気に入りに追加し、その歌を購入し、オンデマンドのオーディオソースのうちの一つからその歌をオンデマンドで再生し、その歌をプレイリストに追加し、その歌をメディア再生システムの特定の待ち列に追加することなどができる。
【００７２】
ここで図９を参照する。図９には、多次元及び／又はクロスサービスの検索についての例示的なプロセス９００が示されている。さらに以下に説明すると、プロセス９００は、検索実行の指示又は要求を受け取るステップと、検索するための１つ又は複数のアクセス可能なオーディオソースを特定するステップと、（１）オーディオソースによりサポートされている検索分類フィールドと、（２）あるメタデータと、に基づいて、特定されたオーディオソースを検索するステップと、結果を取り出すステップと、その結果をソートするステップと、その結果を表示するステップと、を含む。実施形態によれば、プロセス９００は、ユーザに対して同時に又はほぼ同時に起こるように見える方法で、複数の検索が実行されるのを要求する。例えば、実施形態は、ユーザの視点から同じ時間に又はほぼ同じ時間に、複数の異なるオーディオソースを検索することを含む。
【００７３】
コントローラは、ユーザインタフェース上で、エリア内の場所の選択を受け取る（ブロック９０２）。この例では、選択が検索を引き起こす又は開始させる。説明のために、図５に示されるコントローラ５００が、ユーザインタフェース上でエリア内の場所を提供するのに使用可能なスクリーン５０２と、ユーザによる場所の選択を受け取るのに使用可能な入力インタフェース５１４と、を含む、例示的なコントローラである。図１に示すコントローラ１３０、図７に示すコントローラ７０８、及び図８に示すコントローラ８６２，８７２に関連する記載は、例示的なメディア再生システム内のコントローラの役割の種類を説明している。例えば、ある実施形態では、コントローラは、何を再生するか、いつ再生するか、グループ化、音量設定などのコマンドを、ゾーンプレーヤーに提供する。コントローラは、ゾーンプレーヤーからステータス情報及び／又は設定情報を受け取る。同一のコントローラを使用して、（１）再生を制御すること、且つ（２）図９のプロセス９００によりオーディオを検索することは、エンドユーザにとって有利である。なぜなら、ユーザは、例えば検索によって生じたコンテンツを直接再生したり、例えばそのコンテンツを再生待ち列に追加したりできるからである。
【００７４】
図１０Ａは、例示的なスマートフォンデバイス上で見られるような、ある実施形態の例示的なユーザインタフェースを示す。ユーザインタフェースは、表示エリアとユーザが選択可能なエリア内の場所とを含み、上述したようにメディア再生システムが管理される。一実施形態では、図１０Ａに示すように、「Ｎｏｗ  Ｐｌａｙｉｎｇ（再生中）」画面１０００は、現在のトラックを示し、アーティスト１００６、トラック１００８、及びアルバム１０１０を特定するメタデータを含む。「Ｎｏｗ  Ｐｌａｙｉｎｇ」画面１０００は、メディア再生システムのある特定のゾーン内において現在再生している（又は、現在一時停止している、又は現在停止している）ものに対応する。ある例では、「Ｎｏｗ  Ｐｌａｙｉｎｇ」画面１０００は、再生コマンドを受信したときに、ある特定のゾーンで何が再生されるかを示す（例えば、ゾーンは一時停止状態、又は停止状態であるが、コントローラはまだ「Ｎｏｗ  Ｐｌａｙｉｎｇ」画面１０００を表示している場合もある）。
【００７５】
一実施形態では、検索を引き起こすために場所についての選択が受け取られ、その場所は、「Ｎｏｗ  Ｐｌａｙｉｎｇ」画面１０００に表示されるアルバムアート１００２である。すなわち、ユーザは、アルバムアート１００２の範囲内の任意の場所を押す又は選択することによって、検索を引き起こすことができる。他の実施形態では、ユーザインタフェース上の場所は、アーティスト名１００６、アルバム名１００８、及びトラック名１０１０のいずれか一つ又は全てに直接関係している。すなわち、例えば、ユーザは、「Ｃａｔ  Ｐｏｗｅｒ」（アーティスト名１００６）を選択することによって、検索を開始させることができる。代替の例では、ユーザは、「Ａｒｅｔｈａ，Ｓｉｎｇ  Ｏｎｅ  Ｆｏｒ  Ｍｅ」（トラック名１００８）を選択することによって、検索を開始させることができる。さらに別の例では、ユーザは「Ｊｕｋｅｂｏｘ」（アルバム名１０１０）を選択することによって、検索を開始させることができる。他の例も存在し、本明細書に基づいて理解されうる。
【００７６】
図１０Ｂは、例示的なスマートフォンデバイス上で見られるような、ある実施形態の例示的なユーザインタフェースを示す。図１０Ａに示されるような「Ｎｏｗ  Ｐｌａｙｉｎｇ」画面を使用して検索を開始することに代えて（又は加えて）、コントローラは、別の画面又はメニュー上で場所の選択を受け取るように構成される。例えば、図１０Ｂの実施形態において、ユーザは、メニュー項目「Ｆｉｎｄ  Ｍｏｒｅ  Ｌｉｋｅ  Ｔｈｉｓ（類似のものを探し出す）」１００４を選択することによって、検索を開始させることができる。
【００７７】
他の例では（図示せず）、ユーザは、ミュージックライブラリ（例えば、ローカルミュージックライブラリ、ＲＨＡＰＳＯＤＹ（商標）の「Ｍｙ  Ｌｉｂｒａｒｙ」など）内に表示されるアイテム、例えばアーティスト、アルバム、トラックなどを選択することができる。いくつかの実施形態では、第１のミュージックライブラリ内に表示されるアイテムは利用できず、表示されたアイテムに基づく関連検索が、他のオーディオソース上のコンテンツへのアクセスを提供する。例えば、音楽サービス上でアルバム又はトラックの一部しか利用できない場合であっても、その音楽サービスはアーティストの全部のディスコグラフィを表示しても良い。
【００７８】
図１１は、例示的なスマートフォンデバイス上で見られるような、ある実施形態のさらに別の例示的なユーザインタフェースを示す。この実施形態において、（虫眼鏡要素（虫眼鏡アイコン）１１００のような）表示要素（表示アイコン）は、検索を引き起こすために選択可能な、ユーザインタフェース上の場所を提供する。当然、必要に応じて、１つ以上の方法によって、検索が開始されても良い。
【００７９】
図９に戻って参照すると、コントローラからアクセスができ検索可能な、少なくとも１つのオーディオソースが特定される（ブロック９０４）。一実施形態では、図５のコントローラ５００は、メモリ５１０を検索して、少なくとも１つのオーディオソースを特定する。別の実施形態では、コントローラは、ネットワーク上のゾーンプレーヤーからのオーディオソース情報を要求する。さらに別の実施形態では、コントローラは、リモートサーバからのオーディオソース情報を要求する（例えば、ＨＨＩＤによってアクセス可能なオーディオソースを要求する）。オーディオソースはデータソースを含み、再生システムによって、そのデータソースからオーディオコンテンツが取り出される。例として、ＳＰＯＴＩＦＹ（商標）、ＲＨＡＰＳＯＤＹ（商標）、ＰＡＮＤＯＲＡ（商標）、ＩＴＵＮＥＳ（商標）、ＧＯＯＧＬＥ ＰＬＡＹ、ＭＯＧ（商標）、ＲＤＩＯ（商標）、ローカルネットワーク上のデジタルミュージックライブラリ、インターネット上のローカルラジオ放送などを含む。しかし、これらに限定しない。各メディア再生システムは、異なる１つ又は複数のオーディオソースを持ち（持つ可能性が高く）、それらのオーディオソースから、再生のためのオーディオコンテンツが取得されることが理解される。
【００８０】
一実施形態において、コントローラがアクセス可能なオーディオソースのリストは、メモリに、例えばテーブルに格納されている。例えば、テーブルは、コントローラのメモリ、ゾーンプレーヤーのメモリ、リモートデバイスのメモリ、又は他のデバイスに格納されても良い。あるメディア再生システムにおいてオーディオソースが変更されると、テーブルは、定期的に又はその変更が生じたときに、更新されうる。代替の実施形態において、アクセス可能なオーディオソースのリストは、検索の開始に対応して、作成される。
【００８１】
いくつかの実施形態において、オーディオソースは、オーディオコンテンツを検索するためにコントローラによってアクセス可能であるけれども、オーディオコンテンツを再生する前に、ユーザ認証を必要とする。いくつかの例では、ユーザ認証は、メディア再生システムに適用される。他の例では、ユーザ認証は、再生を開始するのに使用されるコントローラに適用される。一実施形態では、オーディオソースが再生のために既に認証されていた場合にのみ、そのオーディオソースは検索される。他の実施形態では、オーディオソースが再生のためにまだ認証されていない場合であっても、そのオーディオソースは検索される。いくつかの実施形態において、認証は、必要に応じて、検索した後に行われても良い。
【００８２】
１つ又は複数のオーディオソースの検索は、オーディオソースによりサポートされている少なくとも１つの検索分類フィールドに基づいて、アーティスト名、アルバム名、トラック名、及び任意の他のアイテムのいずれかについて、実行される（ブロック９０６）。他の検索分類フィールドが使用されても良い。いくつかの実施形態では、コントローラは、オーディオソースを特定し、各オーディオソースによりサポートされている検索分類フィールドを決定する。各オーディオソースは、異なる検索分類フィールドをサポートしても良い。例えば、ＰＡＮＤＯＲＡ（商標）は、アーティスト検索、ジャンル検索、及びトラック検索をサポートし、一方で、ＲＤＩＯ（商標）は、局検索、番組検索、及びホスト検索をサポートしても良い。いくつかの実施形態では、様々な分類フィールドが検索される各場所の意味を確実に持つようにするために、正準マッピングが使用される。例えば、あるサービスの「トラック」は、別のサービスの「歌」と同じように扱われる。同様に、「番組」は、「ポッドキャスト」と同じように扱われる。別の例では、異なる地域のサービスは、異なるスペル又はグリフ（シンボル）を含む。
【００８３】
様々なオーディオソースによって、検索するための基準として、サポートされている種々の分類フィールドのリストは、メモリに、例えばテーブルに格納される。一例として、テーブルは、コントローラのメモリ、ゾーンプレーヤーのメモリ、リモートデバイスのメモリ、又は他のデバイスに格納されても良い。オーディオソースは、サポートする分類フィールドを変更する場合、コントローラデバイス（又は他のデバイス）に通知しても良く、テーブルは、その通知に応じて、更新されても良い。
【００８４】
ブロック９０２，９０４，９０６に関する例を提供するために、コントローラは、下記オーディオソースを特定し、ユーザインタフェース上での場所の選択時にソースを検索すると想定する。場所は、現在再生している「Ｃａｔ  Ｐｏｗｅｒ」（アーティスト）、「Ａｒｅｔｈａ，Ｓｉｎｇ  Ｏｎｅ  Ｆｏｒ  Ｍｅ」（トラック）、及び「Ｊｕｋｅｂｏｘ」（アルバム）に対応する。
2018067325.tif 000003
【００８５】
コントローラは、例えば、アーティスト名、アルバム名、及びトラック名に関連する情報のうちのいずれか一つ又は複数を含む情報を検索から取り出す（ブロック９０８）。ある例では、オーディオソースによっては、検索により分類フィールドのうちの一つについての情報が見つからない結果になる場合がある。他の例では、オーディオソースによっては、検索は、分類フィールドのうちの一つ、二つ、又は全部についての情報をもたらす場合がある。「Ｃａｔ  Ｐｏｗｅｒ」に関する上述の例を使用すると、アーティストについてのＲＨＡＰＳＯＤＹの検索結果は、次のようなもの：例えば、「Ｃａｔ  Ｐｏｗｅｒ」、「Ｃａｔ  Ｐｏｗｅｒ（Ｈｏｌｉｄａｙ）」、「Ｔ−Ｐｏｗｅｒ」、「Ｃａｔ  Ｐｏｗｅｒ ＆ Ｋａｒｅｎ  Ｅｌｓｏｎ」、「Ｓｅｒｐｅｎｔ  Ｐｏｗｅｒ」などになる可能性がある。ジャンルについてのＲＨＡＰＳＯＤＹの検索では何も情報が得られない結果となり、トラックについての検索は、次のようなもの：例えば、Ｐａｔｔｅｒｓｏｎ  Ｈｏｏｄの「Ｃａｔ  Ｐｏｗｅｒ」、Ｃｈｉｌｄｉｓｈ  Ｇａｍｂｉｎｏの「Ｔｈａｔ  Ｐｏｗｅｒ」、Ｃｈａｎｃｅ’ｓ  Ｅｎｄの「Ｂｅａｔ  Ｐｏｗｅｒ」などを含む可能性がある。ＰＡＮＤＯＲＡ及びＳＯＮＧＺＡの検索からも結果が取り出される。
【００８６】
検索結果は、少なくとも１つの検索分類フィールドとオーディオソースとに基づいてソートされる（ブロック９１０）。さらに、例えば、複数の分類フィールド及び／又はオーディオソースを考慮する優先方式に基づいて、例えば、検索基準に対してより一致するアイテムを上位に配置することによって、検索結果はソートされても良い。いくつかの実施形態では、さらに、検索結果は、ユーザの好みに基づいて、ソートされる。例えば、ライブのトラック又はアルバムよりもスタジオのトラック又はアルバムを好むようなユーザの好みが使用されても良い。別の例では、ユーザにより以前「嫌われた」トラックを、検索結果から除外することができる。例えば、上述の「Ｃａｔ  Ｐｏｗｅｒ」の例において、バンド「Ｃａｔ  Ｐｏｗｅｒ」に関連付けられたアイテムを、他のバンドのマテリアルに対して最上位に配置することによって、検索結果がソートされても良い。さらに、バンド「Ｃａｔ  Ｐｏｗｅｒ」に関連付けられたアイテムは、関心のあるアルバム及び／又はトラックに基づいて、優先順位をつけられても良い。他の実施形態では、検索結果はフィルタにかけられて、検索基準に基づいた非常に関連性のあるマテリアルのみを含み、例えば、バンド「Ｃａｔ  Ｐｏｗｅｒ」のマテリアルのみを含み、他のバンドのマテリアルが破棄されても良い。
【００８７】
ブロック９１０のソートに基づいて、コントローラのユーザインタフェースに情報を表示する（ブロック９１２）。情報は、分類フィールド、オーディオソース、又はその両方に基づいて、ユーザインタフェース上に配置されても良い。「Ｃａｔ  Ｐｏｗｅｒ」の例を使用すると、情報は、アーティスト、ジャンル、アルバム、トラック及びプレイリストに基づいて表示されても良い。その例において、アーティストカテゴリに基づく情報は、オーディオソース毎に分けられて、各オーディオソースの結果がそれぞれのオーディオソースの下側に表示される（例えば、図１２参照）。例えば、以下参照：
●  アーティスト
○  Ｐａｎｄｏｒａ
■  結果１
■  結果２
○  Ｒｈａｐｓｏｄｙ
■  結果１
○  Ｓｏｎｇｚａ
■  結果１
【００８８】
同様に、取り出された情報は、他の分類フィールド及び／又はオーディオソースに関して、ソートされても良い。ある特定のオーディオソースの検索による結果が見つからなかった場合、オーディオソースは、その分類についての表示を省いても良い。上述したように、検索結果は、優先順位をつけられ、及び／又はフィルタにかけられても良い。例えば、Ｐａｎｄｏｒａの下の結果１は、Ｐａｎｄｏｒａの下の結果２よりも「Ｃａｔ  Ｐｏｗｅｒ」により近い関係を持つ。結果３（例を説明するために上述のＰａｎｄｏｒａの下に示されていない）は、「Ｃａｔ  Ｐｏｗｅｒ」とあまりに大きくかけ離れているため、例えば、バンドが異なる、ジャンルが異なるなどのため、結果３は破棄され、表示されていない。さらに、上記で示した結果はアルファベット順で表されているけれども、代わりに、ある実施形態では、異なるアルゴリズムに基づいて優先順位が決められても良い。例えば、お気に入りのオーディオソースが最初にリストアップされても良く、歌が聞かれたオーディオソースが最初に表示されても良い（例えば、同一のサービスの検索；ユーザは、Ｒｈａｐｓｏｄｙチャンネルを使用して歌を聞き、その歌についてＲｈａｐｓｏｄｙを検索した）。
【００８９】
図１３は、「Ａｌｂｕｍs（アルバム）」に基づく検索結果の表示例を示す。この例では、「Ｊｕｋｅｂｏｘ」がオーディオソースＲＤＩＯで検索された。この例の検索が上述した検索例と異なると想定して、そのうちのいくつかを以下に説明する。「Ａｌｂｕｍｓ」を選択すると、「ＲＤＩＯ」内の情報が表示される。さらに、ユーザは、例えば、「Ａｒｔｉｓｔｓ（アーティスト）」又は「Ｔｒａｃｋｓ（トラック）」を、指で触れることにより選択して、ＲＤＩＯ内の「Ｊｕｋｅｂｏｘ」の検索によって得られる検索結果を見ることができる。
【００９０】
一実施形態における図１３の例では、「Ｊｕｋｅｂｏｘ」の用語のみが、検索に使用された。例えば、ユーザは、上述のように、ユーザインタフェース上で場所を選択し（例えば、アルバムアートを選択し、「Ｊｕｋｅｂｏｘ」要素を選択し、「Ｆｉｎｄ  Ｍｏｒｅ  Ｌｉｋｅ  Ｔｈｉｓ（類似のものを探し出す）」を選択し、又はユーザインタフェース上の他の要素を選択し）、コントローラは、１つ又は複数のオーディオソースの検索において「Ｊｕｋｅｂｏｘ」を使用した。図１３において、オーディオソースＲＤＩＯが検索されて、「Ａｌｂｕｍｓ（アルバム）」とＲＤＩＯに基づく結果がユーザインタフェースに表示されている。図１３に示されるユーザインタフェース上で「Ａｒｔｉｓｔｓ（アーティスト）」及び／又は「Ｔｒａｃｋｓ（トラック）」を選択すると、選択されたカテゴリに対応するさらなる検索結果が表示される。別の実施形態では、用語「Ｊｕｋｅｂｏｘ」は検索に使用されたが、この「Ｊｕｋｅｂｏｘ」が「Ｃａｔ  Ｐｏｗｅｒ」に関連付けられていること（さらに、「Ａｒｅｔｈａ，Ｓｉｎｇ  Ｏｎｅ  Ｆｏｒ  Ｍｅ」にも、そのようにプログラムされている場合は関連付けられていること）を確認することを、プログラム命令が要求する。そのようにプログラムされている場合、リストの最上位に「Ｃａｔ  Ｐｏｗｅｒ」による「Ｊｕｋｅｂｏｘ」を置くことによって、結果に優先順位がつけられても良い。さらに、結果は、Ｃａｔ  Ｐｏｗｅｒ  Ｊｕｋｅｂｏｘに対する一連の１つ又は複数の他の類似度、同様のジャンル、又は他の測定基準に基づいて、優先順位がつけられても良い。
【００９１】
図１４は、「Ｔｒａｃｋｓ（トラック）」に基づく一連の検索結果の表示例を示す。「Ｔｒａｃｋｓ（トラック）」を選択すると、「Ｐａｎｄｏｒａ  Ｒａｄｉｏ」（オーディオソース）とＲＤＩＯ（別のオーディオソース）内の情報が表示される。
【００９２】
図１５は、さらに別の例であって、「Ｂｏｎ  Ｉｖｅｒ」の検索において、ユーザの「Ｍｕｓｉｃ  Ｌｉｂｒａｒｙ（ミュージックライブラリ）」が含まれていた例を示している。図１５の例によれば、表示される情報は、「Ａｒｔｉｓｔ（アーティスト）」選択に対応する。
【００９３】
図１６は、さらに別の例であって、検索するオーディオソースをユーザが選択する例を示している。一例において、「ａｌｌ  ｍｕｓｉｃ（全ての音楽）」が選択されると、システムは利用可能なオーディオソースの全てを検索する。検索するために、１つ又は複数のオーディオソースを選択しても良い。
【００９４】
いくつかの実施形態では、画面領域の寸法と表示されるオーディオソースの数とを考慮して、結果が表示される。いくつかの実施形態では、オーディオソースごとに最小数の結果が保持されるように、結果が表示される。例えば、ＩＰＨＯＮＥ５を使用した２つのオーディオソースの結果では、オーディオソースごとに４つの結果が表示されても良い。ＩＰＨＯＮＥ４を使用した同一の検索では、オーディオソースごとに３つの結果のみが表示されても良い。このように、いくつかの実施形態では、結果を表示する前に、コントローラによって、画面サイズが決定される。
【００９５】
ＩＸ．結論
本明細書は、様々な例示のシステム、方法、装置、及び製品を開示しており、それらは、他のコンポーネントの中で、ハードウェア上で実行されるファームウェア及び／又はソフトウェアを含む。しかしながら、そのような例は、単なる例示であり、限定されるものとみなすべきではない。例えば、これらのファームウェアコンポーネント、ハードウェアコンポーネント、及び／又はソフトウェアコンポーネントのいくつか又はすべてが、専らハードウェアに、専らソフトウェアに、専らファームウェアに、又はハードウェア、ソフトウェア、及び／又はファームウェアの任意の組み合わせを実施することができることが意図されている。したがって、例示のシステム、方法、装置、及び／又は生産物を説明しているが、提供されているそれらの例は、それらのシステム、方法、装置、及び／又は生産物を実施する唯一の方法ではない。
【００９６】
前述したように、本出願は、コントローラのユーザインタフェース上での場所の選択に対応して、検索を実行させる、再生システムを含む。一態様では、方法が提供される。その方法は、コントローラのユーザインタフェース上にエリアを表示するステップを含み、当該エリアは、１つ又は複数の再生デバイスが再生中のオーディオトラックに関連する、アーティスト名、アルバム名、及びトラック名に関連付けられたものである。１つ又は複数の再生デバイスは、コントローラを介して制御される。方法は、さらに、ユーザインタフェースのエリア内の場所の選択を受け取るステップと、場所の選択の受け取りに対応して、コントローラからアクセスでき検索可能な、少なくとも１つのオーディオソースをコントローラによって特定するステップと、を含む。方法は、さらに、少なくとも１つのオーディオソースによりサポートされている少なくとも１つの検索分類フィールドに基づいて、アーティスト名、アルバム名、及びトラック名のいずれかについて、少なくとも１つのオーディオソースを検索するステップを含む。方法は、さらに、コントローラにより、検索に基づいて、少なくとも１つのオーディオソースから情報を取り出すステップを含み、当該情報は、アーティスト名に関連する情報、アルバム名に関連する情報、及びトラック名に関連する情報のうちのいずれか一つ又は複数を含む。方法は、さらに、少なくとも１つの検索分類フィールドと少なくとも１つのオーディオソースとに基づいて情報をソートし、ソートされた情報をユーザインタフェースに表示するステップと、を含む。
【００９７】
方法は、さらに、少なくとも１つのオーディオソースによりサポートされている少なくとも１つの検索分類フィールドを決定するステップと、少なくとも１つの検索分類フィールドに基づいて検索基準を変更するステップと、を含む。
【００９８】
方法は、さらに、各々が異なる複数のオーディオソースを検索するステップを含む。
【００９９】
方法は、さらに、コントローラによるオーディオコンテンツへの無制限アクセスが可能なオーディオソースを複数のオーディオソースの中から特定するステップを含む。無制限アクセスが可能なものの例は、再生システムが登録されるようなサービス、ローカルデジタルミュージックライブラリ、又はオーディオコンテンツへの少なくともいくつかのアクセスを再生システムが再生のために利用できるような他のソースを含む。
【０１００】
方法は、さらに、コントローラによるオーディオコンテンツへの制限付きアクセスが可能なオーディオソースを複数のオーディオソースの中から特定するステップを含む。この例では、検索は、再生システムがまだ登録済みシステムになっていないオーディオソースにまで達する。このような場合、ユーザは検索結果を見ることができるけれども、ソースが（例えば、ユーザ登録によって）無制限になるまでは、コンテンツを再生することができない。
【０１０１】
方法は、さらに、取り出した情報のソートに優先順位をつけるステップを含む。一実施形態では、アーティスト名、アルバム名、又はトラック名の類似度に応じて、情報に優先順位がつけられる。別の実施形態では、ユーザインタフェース上で選択された場所を使用して、情報への優先順位のつけ方が決定される。例えば、場所に密接に関連しているメタデータが、検索、検索結果、及び検索結果の表示において、優先される。
【０１０２】
方法は、さらに、１つ又は複数の再生デバイス上のオーディオトラックを再生するのに使用されたソースと異なる少なくとも１つのオーディオソースを検索するステップを含む。例えば、再生システムは、Ｐａｎｄｏｒａから歌を再生しているときに、オーディオコンテンツについてＲｈａｐｓｏｄｙを検索しても良い。
【０１０３】
別の態様では、デバイスが提供される。デバイスは、プロセッサ、データストレージ、及びデータストレージに格納され且つプロセスによって実行可能なプログラム命令を含み、コントローラのユーザインタフェース上にエリアを表示する。当該エリアは、１つ又は複数の再生デバイスが再生中のオーディオトラックに関連する、アーティスト名、アルバム名、及びトラック名に関連付けられたものである。１つ又は複数の再生デバイスは、コントローラを介して制御される。デバイスは、さらに、ユーザインタフェースのエリア内の場所の選択を受け取り、場所の選択の受け取りに対応して、コントローラからアクセスができ検索可能な、少なくとも１つのオーディオソースをコントローラによって特定するための実行可能なプログラム命令を含む。デバイスは、さらに、少なくとも１つのオーディオソースによりサポートされている少なくとも１つの検索分類フィールドに基づいて、アーティスト名、アルバム名、及びトラック名のいずれかについて、少なくとも１つのオーディオソースを検索するための実行可能なプログラム命令を含む。デバイスは、さらに、コントローラにより、検索に基づいて、少なくとも１つのオーディオソースから情報を取り出すための実行可能なプログラム命令を含み、当該情報は、アーティスト名に関連する情報、アルバム名に関連する情報、及びトラック名に関連する情報のうちのいずれか一つ又は複数を含む。デバイスは、さらに、少なくとも１つの検索分類フィールドと少なくとも１つのオーディオソースとに基づいて情報をソートし、ソートされた情報をユーザインタフェースに表示するための実行可能なプログラム命令を含む。
【０１０４】
さらに別の態様では、非一時的なコンピュータ読み取り可能メモリが提供される。非一時的なコンピュータ読み取り可能メモリには、コンピュータによって実行可能な命令が記憶されており、コンピュータに機能を実行させることができる。
【０１０５】
更に、本明細書において「実施形態」は、実施形態に関連して述べられた特定の特徴、構造、又は特性が、本発明の少なくとも１つの実施例に含まれ得ることを示している。本明細書の様々な場所でこの語句が用いられているが、すべてが同じ実施形態を言及するものではなく、又、他の実施形態を除いた別個の実施形態又は代替の実施形態でもない。このように、本明細書で述べられた実施形態は、明示的に及び暗黙的に、当業者によって、他の実施形態と組み合わせることができることが理解される。
【０１０６】
本明細書は、例示的な環境、システム、手順、ステップ、論理ブロック、処理、及び他のシンボル表現に関して広く示されており、それらは直接又は間接的にネットワークに接続されるデータ処理デバイスの動作に類似するものである。これらの処理説明及び表現は、一般的に当業者によって使用され、それらの仕事の内容を他の当業者に最も効率良く伝えることができる。多くの具体的な内容が、本開示を理解するために提供されている。しかしながら、当業者にとって、本開示の特定の実施形態が特定の、具体的な詳細なしに実施され得ることは理解される。他の例では、周知の方法、手順、コンポーネント、及び回路が、実施形態を不必要に曖昧にすることを避けるため、詳細に説明していない。したがって、本開示の範囲は、上記した実施形態よりむしろ添付された特許請求の範囲によって定義される。
【０１０７】
添付の特許請求の範囲のいずれかが単にソフトウェア及び／又はファームウェアへの実装をカバーするように読み取ると、少なくとも１つの例における要素の１つ又は複数は、本明細書では、ソフトウェア及び／又はファームウェアを記憶する有形媒体、例えば、メモリ、ＤＶＤ、ＣＤ、Ｂｌｕ−ｒａｙ（登録商標）等を含むことが明確に定められている。
【図１】
2018067325.tif 000004
【図２Ａ】
2018067325.tif 000005
【図２Ｂ】
2018067325.tif 000006
【図２Ｃ】
2018067325.tif 000007
【図３】
2018067325.tif 000008
【図４】
2018067325.tif 000009
【図５】
2018067325.tif 000010
【図６】
2018067325.tif 000011
【図７】
2018067325.tif 000012
【図８】
2018067325.tif 000013
【図９】
2018067325.tif 000014
【図１０Ａ】
2018067325.tif 000015
【図１０Ｂ】
2018067325.tif 000016
【図１１】
2018067325.tif 000017
【図１２】
2018067325.tif 000018
【図１３】
2018067325.tif 000019
【図１４】
2018067325.tif 000020
【図１５】
2018067325.tif 000021
【図１６】
2018067325.tif 000022
【図１７】
2018067325.tif 000023
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
コントローラのための方法であって、
１つ又は複数のネットワークを介して、１つ又は複数のストリーミングサービスをメディア再生システムに登録するステップ、
ここで、前記メディア再生システムは、１つ又は複数の再生デバイスとコントローラとを備える、
ここで、前記１つ又は複数の再生デバイスはモバイルデバイスと異なる、
ここで、前記登録するステップは、前記１つ又は複数のストリーミングサービスの少なくとも１つのそれぞれのユーザアカウントを使用して、前記１つ又は複数のストリーミングサービスで、前記メディア再生システムを認証することを含む、
前記メディア再生システムの前記１つ又は複数の再生デバイスによる再生を制御するための１つ又は複数のコントロールを含むインタフェースを表示するステップ、
前記インタフェースを介して、オーディオトラックについての検索基準を受け取るステップ、
ここで、前記検索基準は、前記１つ又は複数の再生デバイスが現在再生中のオーディオトラックのアーティスト名、前記オーディオトラックのアルバム名、前記オーディオトラックのトラック名、又は検索文字列のうちの１つ又は複数を含む、
受け取った前記検索基準に応じて、前記コントローラにより、前記コントローラから検索のためにアクセスできる複数のオーディオソースを特定するステップ、
ここで、前記複数のオーディオソースは、前記メディア再生システムに登録されている前記１つ又は複数のストリーミングサービスを含む、
選択された場所に関連付けられている、前記アーティスト名、前記アルバム名、及び前記トラック名のいずれかについて、前記複数のオーディオソースを検索するステップ、
前記コントローラにより、前記検索に基づいて、前記複数のオーディオソースのうちの少なくとも２つから、前記アーティスト名、前記アルバム名、及び前記トラック名のうちの少なくとも１つに関連する情報を取り出すステップ、
検索結果を前記複数のオーディオソースに対応するグループにそれぞれ分類するステップ、
少なくとも１つの検索分類フィールドに基づいて、特定のオーディオソースについて前記検索結果をソートするステップ、及び
分類され且つソートされた情報をユーザインタフェース上に表示するステップ、
を有する、方法。
【請求項２】
前記オーディオトラックについての検索基準を受け取るステップは、
前記インタフェース上で、前記メディア再生システムの前記１つ又は複数の再生デバイスが再生中のオーディオトラックに関連付けられている領域を表示すること、
ここで、前記領域は、前記オーディオトラックのアーティスト名、前記オーディオトラックのアルバム名、及び前記オーディオトラックのトラック名を少なくとも示す、
前記インタフェースを介して、前記インタフェース上に表示されている前記領域内の所定の場所の選択を受け取るステップ、を含む、
ここで、前記選択された場所は、前記オーディオトラックのアーティスト名、前記オーディオトラックのアルバム名、及び前記オーディオトラックのトラック名のうちの１つ又は複数を示す検索基準に対応する、
請求項１に記載の方法。
【請求項３】
前記オーディオトラックについての検索基準を受け取るステップは、
前記インタフェース上に検索クエリコントロールを表示すること、及び
前記検索クエリコントロールを使用して、前記検索文字列を受け取ること、
を含む、請求項１に記載の方法。
【請求項４】
前記複数のオーディオソースを特定するステップは、１つ又は複数の無制限のオーディオソースを特定することを含む、
ここで、前記１つ又は複数の無制限のオーディオソースは、
ストリーミング可能なメディアアイテムのそれぞれのライブラリを提供する、前記登録された１つ又は複数のストリーミングサービスと、
前記モバイルデバイスの１つ又は複数のローカルデータストレージに格納されているそれぞれのファイルによって示されるメディアアイテムを有するメディアライブラリと、
を含む、
ここで、前記１つ又は複数のローカルデータストレージに格納されている前記ファイルは、前記ストリーミング可能なメディアアイテムを示すファイルとは異なる、
請求項１から請求項３のいずれか一つに記載の方法。
【請求項５】
前記複数のオーディオソースを特定するステップは、１つ又は複数の無制限のオーディオソースを特定することを含む、
ここで、前記１つ又は複数の無制限のオーディオソースは、
前記登録された１つ又は複数のストリーミングサービスと、
ローカルエリアネットワークを介して、前記モバイルデバイスにアクセス可能な１つ又は複数のローカルデータストレージに格納されているメディアアイテムを有するメディアライブラリと、
を含む、
請求項１から請求項３のいずれか一つに記載の方法。
【請求項６】
前記複数のオーディオソースを特定するステップは、１つ又は複数の無制限のオーディオソースを特定することを含む、
ここで、前記１つ又は複数の無制限のオーディオソースは、
前記メディア再生システムに登録されている前記１つ又は複数のストリーミングサービスと、
ローカルエリアネットワークを介して、前記モバイルデバイスにアクセス可能な１つ又は複数のローカルデータストレージに格納されているメディアアイテムと、前記モバイルデバイスの１つ又は複数のローカルデータストレージに格納されているメディアアイテムとを有する、メディアライブラリと、
を含む、
請求項１に記載の方法。
【請求項７】
前記１つ又は複数のストリーミングサービスの少なくとも１つのそれぞれのユーザアカウントを使用して、前記１つ又は複数のストリーミングサービスで、前記メディア再生システムを認証することは、
前記１つ又は複数のストリーミングサービスの少なくとも１つのそれぞれのユーザアカウントを使用して、前記１つ又は複数のストリーミングサービスで、前記メディア再生システムの識別子を認証すること、
を含む、請求項１から請求項６のいずれか一つに記載の方法。
【請求項８】
前記複数のオーディオソースは、さらに、前記メディア再生システムに登録されていない１つ又は複数のストリーミングサービスを含む、
前記メディア再生システムに登録されていない前記１つ又は複数のストリーミングサービスは、制限付きソースである、
前記検索基準について、前記少なくとも２つのオーディオソースを検索するステップは、前記１つ又は複数の制限付きソースと前記１つ又は複数の無制限ソースとを検索することを含む、
請求項１に記載の方法。
【請求項９】
前記コントローラは、所定のセットの複数のオーディオソースから、前記検索結果を取り出す、
前記方法は、さらに、
前記所定のセット内の各オーディオソースからの少なくとも１つの検索結果を特定するステップ、
前記所定のセット内の各オーディオソースからの少なくとも１つの検索結果がそれぞれ、前記インタフェース上の可視領域内に表示されるように、各オーディオソースからの少なくとも１つの検索結果を示す情報を表示するステップ、
を有する、請求項１に記載の方法。
【請求項１０】
さらに、
前記少なくとも２つのオーディオソースの各々によってサポートされている少なくとも１つの検索分類フィールドを決定するステップを有する、
ここで、前記検索するステップは、さらに、各オーディオソースによってサポートされている前記少なくとも１つの検索分類フィールドに従って、各オーディオソースを検索することを含む、
請求項１から請求項９のいずれか一つに記載の方法。
【請求項１１】
さらに、
前記複数のオーディオソースの中から、前記コントローラがオーディオコンテンツへの無制限アクセスを有する特定のオーディオソースを特定するステップを有する、
請求項１から請求項１０のいずれか一つに記載の方法。
【請求項１２】
前記少なくとも２つのオーディオソースは、前記１つ又は複数の再生デバイス上で前記オーディオトラックを再生するのに使用されたソースと異なる少なくとも１つのオーディオソースを含む、
請求項１から請求項１１のいずれか一つに記載の方法。
【請求項１３】
コンピュータデバイスにより実行可能な命令を記憶した非一時的コンピュータ読み取り可能な記録媒体であって、当該命令は実行されると請求項１から請求項１２のいずれか一つに記載の方法を前記コンピュータデバイスに実行させる、
非一時的コンピュータ読み取り可能な記録媒体。
【請求項１４】
コントローラデバイスを１つ又は複数のオーディオソースに通信可能に接続するように構成されたネットワークインタフェース、
ユーザインタフェース、及び
請求項１３に記載の非一時的コンピュータ読み取り可能な記録媒体、
を備える、コントローラデバイス。
【請求項１５】
請求項１から請求項１２のいずれか１つに記載の方法をプロセッサに実行させるためのコンピュータプログラム。
【外国語明細書】
2018067325.tif 000024
2018067325.tif 000025
2018067325.tif 000026
2018067325.tif 000027
2018067325.tif 000028
2018067325.tif 000029
2018067325.tif 000030
2018067325.tif 000031
2018067325.tif 000032
2018067325.tif 000033
2018067325.tif 000034
2018067325.tif 000035
2018067325.tif 000036
2018067325.tif 000037
2018067325.tif 000038
2018067325.tif 000039
2018067325.tif 000040
2018067325.tif 000041
2018067325.tif 000042
2018067325.tif 000043
2018067325.tif 000044
2018067325.tif 000045
2018067325.tif 000046
2018067325.tif 000047
2018067325.tif 000048
2018067325.tif 000049
2018067325.tif 000050
2018067325.tif 000051
2018067325.tif 000052
2018067325.tif 000053
2018067325.tif 000054
2018067325.tif 000055
2018067325.tif 000056
2018067325.tif 000057
2018067325.tif 000058
2018067325.tif 000059
2018067325.tif 000060
2018067325.tif 000061
2018067325.tif 000062
2018067325.tif 000063
2018067325.tif 000064
2018067325.tif 000065
2018067325.tif 000066
2018067325.tif 000067
2018067325.tif 000068
2018067325.tif 000069
2018067325.tif 000070
Fig.9
2018067325.tif 000071
2018067325.tif 000072
2018067325.tif 000073
2018067325.tif 000074
2018067325.tif 000075
2018067325.tif 000076
2018067325.tif 000077
2018067325.tif 000078
2018067325.tif 000079
2018067325.tif 000080
2018067325.tif 000081
2018067325.tif 000082
2018067325.tif 000083
2018067325.tif 000084
2018067325.tif 000085
2018067325.tif 000086
2018067325.tif 000087